(57)【要約】      （修正有）【課題】基本系列の循環シフトを使用して参照信号およびデータを伝送するための技法を提供する。【解決手段】基本系列は、良好な相関特性を有することができ、基本系列の異なる循環シフトは、互いに直交する。ユーザ機器（ＵＥ）は、基本系列の少なくとも１つの循環シフトを使用して、割り当てられたリソース上で、少なくとも１つの参照信号を送信する。ＵＥは、基本系列の少なくとも１つの他の循環シフトを使用して、割り当てられたリソース上で、データを送信する。各参照信号の場合、ＵＥは、既知の変調記号を用いて、基本系列の循環シフトを変調する。データの場合、ＵＥは、データ変調記号を用いて、データのために使用される基本系列の各循環シフトを変調する。複数のＵＥが、同じリソースを共用する。各ＵＥには、リソースで利用可能なすべての循環シフトのうちの異なる１組の循環シフトを割り当てる。【選択図】図４
2014112867.tif 000002
【特許請求の範囲】
【請求項１】
基本系列の少なくとも１つの循環シフトを使用して、割り当てられたリソース上で、少なくとも１つの参照信号を送信することと、
前記基本系列の少なくとも１つの他の循環シフトを使用して、前記割り当てられたリソース上で、データを送信することと
を備える無線通信のための方法。
【請求項２】
伝送のためにユーザ機器（ＵＥ）に割り当てられた１組の副搬送波を決定することであって、前記割り当てられたリソースが、記号期間において前記１組の副搬送波に対応する、決定すること
をさらに備える、請求項１に記載の方法。
【請求項３】
前記少なくとも１つの参照信号を送信すること、および前記データを送信することが、
周波数領域記号を獲得するために、前記少なくとも１つの参照信号および前記データのための変調記号を変換することと、
変調された記号を獲得するために、前記基本系列のための参照記号に前記周波数領域記号を乗算することと、
前記変調された記号を、伝送のために割り当てられた前記１組の副搬送波にマッピングすることと、
前記記号期間中の伝送のための時間領域出力サンプルを獲得するために、前記マッピングされた記号を変換することと
を備える、請求項２に記載の方法。
【請求項４】
前記少なくとも１つの参照信号を送信することが、前記基本系列の少なくとも１つの循環シフトの各々を、参照信号のための既知の変調記号を用いて変調することを備え、前記データ送信することが、前記基本系列の少なくとも１つの他の循環シフトの各々を、データ変調記号を用いて変調することを備える、請求項１に記載の方法。
【請求項５】
前記少なくとも１つの参照信号を送信することが、前記基本系列の単一の循環シフトを使用して、単一の参照信号を送信することを備え、前記データ送信することが、前記基本系列の複数の循環シフトを使用して、複数のデータ変調記号を送信することを備える、請求項１に記載の方法。
【請求項６】
前記少なくとも１つの参照信号を送信することが、前記基本系列の複数の循環シフトを使用して、伝送アンテナ毎に１つの参照信号となる、複数の参照信号を送信することであって、各参照信号が、前記基本系列の異なる循環シフトを使用して送信される、送信することを備える、請求項１に記載の方法。
【請求項７】
前記ＵＥに割り当てられた１組の循環シフトを決定することであって、前記１組の循環シフトが、伝送のために割り当てられた前記１組の副搬送波で利用可能な、すべての循環シフトのサブセットを含み、残りの利用可能な循環シフトの少なくともサブセットが、少なくとも１つの他のＵＥに割り当てられる、決定することと、
前記ＵＥに割り当てられた前記１組の循環シフトから、前記少なくとも１つの参照信号のための前記少なくとも１つの循環シフトおよび前記データのための前記少なくとも１つの他の循環シフトを決定することと
をさらに備える、請求項２に記載の方法。
【請求項８】
前記少なくとも１つの参照信号のための前記少なくとも１つの循環シフトが、少なくとも１つのガード領域によって、前記データのための前記少なくとも１つの他の循環シフトから分離され、各ガード領域が、１つまたは複数の循環シフトを含む、請求項１に記載の方法。
【請求項９】
前記複数の参照信号のための前記複数の循環シフトが、１つまたは複数の循環シフトによって、互いに分離される、請求項６に記載の方法。
【請求項１０】
参照信号のために使用される各循環シフトがデータのために使用される各循環シフトよりも高い送信電力を獲得するように、前記少なくとも１つの参照信号のために使用される前記少なくとも１つの循環シフトにより高い利得を適用すること
をさらに備える、請求項１に記載の方法。
【請求項１１】
前記少なくとも１つの参照信号のために使用する前記少なくとも１つの循環シフト、もしくは前記データのために使用する前記少なくとも１つの他の循環シフト、または両方を示すシグナリングを受信すること
をさらに備える、請求項１に記載の方法。
【請求項１２】
前記基本系列が、ＣＡＺＡＣ（一定振幅ゼロ自己相関）系列を備える、請求項１に記載の方法。
【請求項１３】
前記基本系列が、ザドフ−チュー系列を備える、請求項１に記載の方法。
【請求項１４】
基本系列の少なくとも１つの循環シフトを使用して、割り当てられたリソース上で、少なくとも１つの参照信号を送信するための手段と、
前記基本系列の少なくとも１つの他の循環シフトを使用して、前記割り当てられたリソース上で、データを送信するための手段と
を備える無線通信のための装置。
【請求項１５】
前記少なくとも１つの参照信号を送信するための前記手段、および前記データを送信するための前記手段が、
周波数領域記号を獲得するために、前記少なくとも１つの参照信号および前記データのための変調記号を変換するための手段と、
変調された記号を獲得するために、前記基本系列のための参照記号に前記周波数領域記号を乗算するための手段と、
前記変調された記号を、伝送のために割り当てられた前記１組の副搬送波にマッピングするための手段であって、前記割り当てられたリソースが、記号期間において前記１組の副搬送波に対応する、マッピングするための手段と、
前記記号期間中の伝送のための時間領域出力サンプルを獲得するために、前記マッピングされた記号を変換するための手段と
を備える、請求項１４に記載の装置。
【請求項１６】
前記少なくとも１つの参照信号を送信するための前記手段が、前記基本系列の少なくとも１つの循環シフトの各々を、参照信号のための既知の変調記号を用いて変調するための手段を備え、前記データ送信するための前記手段が、前記基本系列の少なくとも１つの他の循環シフトの各々を、データ変調記号を用いて変調するための手段を備える、請求項１４に記載の装置。
【請求項１７】
前記少なくとも１つの参照信号を送信するための前記手段が、前記基本系列の単一の循環シフトを使用して、単一の参照信号を送信するための手段を備え、前記データ送信するための前記手段が、前記基本系列の複数の循環シフトを使用して、複数のデータ変調記号を送信するための手段を備える、請求項１４に記載の装置。
【請求項１８】
前記少なくとも１つの参照信号を送信するための前記手段が、前記基本系列の複数の循環シフトを使用して、伝送アンテナ毎に１つの参照信号となる、複数の参照信号を送信するための手段であって、各参照信号が、前記基本系列の異なる循環シフトを使用して送信される、送信するための手段を備える、請求項１４に記載の装置。
【請求項１９】
伝送のためにユーザ機器（ＵＥ）に割り当てられた１組の副搬送波を決定するための手段であって、前記割り当てられたリソースが、記号期間において前記１組の副搬送波に対応する、決定するための手段と、
前記ＵＥに割り当てられた１組の循環シフトを決定するための手段であって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定するための手段と、
前記ＵＥに割り当てられた前記１組の循環シフトから、前記少なくとも１つの参照信号のための前記少なくとも１つの循環シフトおよび前記データのための前記少なくとも１つの他の循環シフトを決定するための手段と
をさらに備える、請求項１４に記載の装置。
【請求項２０】
基本系列の少なくとも１つの循環シフトを使用して、割り当てられたリソース上で、少なくとも１つの参照信号を送信し、前記基本系列の少なくとも１つの他の循環シフトを使用して、前記割り当てられたリソース上で、データを送信するように構成された、少なくとも１つのプロセッサ
を備える無線通信のための装置。
【請求項２１】
前記少なくとも１つのプロセッサが、
周波数領域記号を獲得するために、前記少なくとも１つの参照信号および前記データのための変調記号を変換することと、
変調された記号を獲得するために、前記基本系列のための参照記号に前記周波数領域記号を乗算することと、
前記変調された記号を、伝送のために割り当てられた前記１組の副搬送波にマッピングすることであって、前記割り当てられたリソースが、記号期間において前記１組の副搬送波に対応する、マッピングすることと、
前記記号期間中の伝送のための時間領域出力サンプルを獲得するために、前記マッピングされた記号を変換することと
を行うように構成される、請求項２０に記載の装置。
【請求項２２】
前記少なくとも１つのプロセッサが、前記基本系列の少なくとも１つの循環シフトの各々を、参照信号のための既知の変調記号を用いて変調し、前記基本系列の少なくとも１つの他の循環シフトの各々を、データ変調記号を用いて変調するように構成される、請求項２０に記載の装置。
【請求項２３】
前記少なくとも１つのプロセッサが、前記基本系列の単一の循環シフトを使用して、単一の参照信号を送信し、前記基本系列の複数の循環シフトを使用して、複数のデータ変調記号を送信するように構成される、請求項２０に記載の装置。
【請求項２４】
前記少なくとも１つのプロセッサが、前記基本系列の複数の循環シフトを使用して、伝送アンテナ毎に１つの参照信号となる、複数の参照信号を送信することであって、各参照信号が、前記基本系列の異なる循環シフトを使用して送信される、送信することを行うように構成される、請求項２０に記載の装置。
【請求項２５】
前記少なくとも１つのプロセッサが、伝送のためにユーザ機器（ＵＥ）に割り当てられた１組の副搬送波を決定することあって、前記割り当てられたリソースが、記号期間において前記１組の副搬送波に対応する、決定することと、前記ＵＥに割り当てられた１組の循環シフトを決定することであって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定することと、前記ＵＥに割り当てられた前記１組の循環シフトから、前記少なくとも１つの参照信号のための前記少なくとも１つの循環シフトおよび前記データのための前記少なくとも１つの他の循環シフトを決定することとを行うように構成される、請求項２０に記載の装置。
【請求項２６】
コンピュータ可読媒体であって、
少なくとも１つのコンピュータに、基本系列の少なくとも１つの循環シフトを使用して、割り当てられたリソース上で、少なくとも１つの参照信号を送信させるためのコードと、
前記少なくとも１つのコンピュータに、前記基本系列の少なくとも１つの他の循環シフトを使用して、前記割り当てられたリソース上で、データを送信させるためのコードと
を備えるコンピュータ可読媒体
を備えるコンピュータプログラム製品。
【請求項２７】
基本系列の少なくとも１つの循環シフトを使用して、割り当てられたリソース上で、ユーザ機器（ＵＥ）によって送信された少なくとも１つの参照信号を受信することと、
前記基本系列の少なくとも１つの他の循環シフトを使用して、前記割り当てられたリソース上で、前記ＵＥによって送信されたデータを受信することと
を備える無線通信のための方法。
【請求項２８】
伝送のために前記ＵＥに割り当てられた１組の副搬送波を決定することであって、前記割り当てられたリソースが、記号期間において前記１組の副搬送波に対応する、決定すること
をさらに備える、請求項２７に記載の装置。
【請求項２９】
前記少なくとも１つの参照信号を受信すること、および前記データを受信することが、
受信記号を獲得するために、前記記号期間中の受信サンプルを周波数領域に変換することと、
伝送のために割り当てられた前記１組の副搬送波のための受信記号を抽出することと、
入力記号を獲得するために、前記抽出された記号に前記基本系列から導出された記号を乗算することと、
入力サンプルを獲得するために、前記入力記号を時間領域に変換することと、
前記入力サンプルの第１のサブセットに基づいて、チャネル推定値を導出することと、
前記ＵＥによって送信された前記データのための検出された記号を獲得するために、前記チャネル推定値を用いて、前記入力サンプルの第２のサブセットに対してデータ復調を実行することと
を備える、請求項２８に記載の装置。
【請求項３０】
前記少なくとも１つの参照信号を受信することが、前記基本系列の単一の循環シフトを使用して、前記ＵＥによって送信された単一の参照信号を受信することを備え、前記データを受信することが、前記基本系列の複数の循環シフトを使用して、前記ＵＥによって送信された複数のデータ変調記号を受信することを備える、請求項２７に記載の方法。
【請求項３１】
前記少なくとも１つの参照信号を受信することが、前記基本系列の複数の循環シフトを使用して、前記ＵＥの伝送アンテナ毎に１つの参照信号となる、前記ＵＥによって送信された複数の参照信号を受信することであって、各参照信号が、前記基本系列の異なる循環シフトを使用して送信される、受信することを備え、
前記伝送アンテナから送信された前記参照信号に基づいて、前記ＵＥの伝送アンテナ毎にチャネル推定値を導出すること
をさらに備える、請求項２７に記載の方法。
【請求項３２】
前記ＵＥに割り当てられた循環シフトの第１の組を決定することと、
第２のＵＥに割り当てられた循環シフトの第２の組を決定することであって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを備える、決定することと、
循環シフトの前記第１の組を使用して、前記ＵＥによって送信された前記少なくとも１つの参照信号および前記データを受信することと、
循環シフトの前記第２の組を使用して、前記第２のＵＥによって送信された少なくとも１つの参照信号のみを、または少なくとも１つの参照信号およびデータの両方を受信することと
をさらに備える、請求項２８に記載の方法。
【請求項３３】
前記少なくとも１つの参照信号のために使用する前記少なくとも１つの循環シフト、もしくは前記データのために使用する前記少なくとも１つの他の循環シフト、または両方を示すシグナリングをＵＥに送信すること
をさらに備える、請求項２７に記載の方法。
【請求項３４】
基本系列の少なくとも１つの循環シフトを使用して、割り当てられたリソース上で、ユーザ機器（ＵＥ）によって送信された少なくとも１つの参照信号を受信するための手段と、
前記基本系列の少なくとも１つの他の循環シフトを使用して、前記割り当てられたリソース上で、前記ＵＥによって送信されたデータを受信するための手段と
を備える無線通信のための装置。
【請求項３５】
前記少なくとも１つの参照信号を受信するための前記手段、および前記データを受信するための前記手段が、
受信記号を獲得するために、記号期間中の受信サンプルを周波数領域に変換するための手段と、
伝送のために前記ＵＥに割り当てられた１組の副搬送波のための受信記号を抽出するための手段であって、前記割り当てられたリソースが、前記記号期間において前記１組の副搬送波に対応する、抽出するための手段と、
入力記号を獲得するために、前記抽出された記号に前記基本系列から導出された記号を乗算するための手段と、
入力サンプルを獲得するために、前記入力記号を時間領域に変換するための手段と、
前記入力サンプルの第１のサブセットに基づいて、チャネル推定値を導出するための手段と、
前記ＵＥによって送信された前記データのための検出された記号を獲得するために、前記チャネル推定値を用いて、前記入力サンプルの第２のサブセットに対してデータ復調を実行するための手段と
を備える、請求項３４に記載の装置。
【請求項３６】
前記少なくとも１つの参照信号を受信するための前記手段が、前記基本系列の単一の循環シフトを使用して、前記ＵＥによって送信された単一の参照信号を受信するための手段を備え、前記データを受信するための前記手段が、前記基本系列の複数の循環シフトを使用して、前記ＵＥによって送信された複数のデータ変調記号を受信するための手段を備える、請求項３４に記載の装置。
【請求項３７】
前記少なくとも１つの参照信号を受信するための前記手段が、前記基本系列の複数の循環シフトを使用して、前記ＵＥの伝送アンテナ毎に１つの参照信号となる、前記ＵＥによって送信された複数の参照信号を受信するための手段であって、各参照信号が、前記基本系列の異なる循環シフトを使用して送信される、受信するための手段を備え、
前記伝送アンテナから送信された前記参照信号に基づいて、前記ＵＥの伝送アンテナ毎にチャネル推定値を導出するための手段
をさらに備える、請求項３４に記載の装置。
【請求項３８】
伝送のために前記ＵＥに割り当てられた１組の副搬送波を決定するための手段であって、前記割り当てられたリソースが、記号期間において前記１組の副搬送波に対応する、決定するための手段と、
前記ＵＥに割り当てられた循環シフトの第１の組を決定するための手段と、
第２のＵＥに割り当てられた循環シフトの第２の組を決定するための手段であって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを備える、決定するための手段と、
循環シフトの前記第１の組を使用して、前記ＵＥによって送信された前記少なくとも１つの参照信号および前記データを受信するための手段と、
循環シフトの前記第２の組を使用して、前記第２のＵＥによって送信された少なくとも１つの参照信号のみを、または少なくとも１つの参照信号およびデータを受信するための手段と
をさらに備える、請求項３４に記載の装置。
【発明の詳細な説明】
【技術分野】
【０００１】
本開示は、一般に、通信に関し、より詳細には、無線通信方式において参照信号およびデータを伝送するための技法に関する。
【背景技術】
【０００２】
本出願は、本出願の譲受人に譲渡され、本明細書に参照により組み込まれる、２００８年９月２３日に出願された、「ＥＦＦＩＣＩＥＮＴ  ＭＵＴＩＰＬＥＸＩＮＧ  ＯＦ  ＲＥＦＥＲＥＮＣＥ  ＳＩＧＮＡＬ  ＡＮＤ  ＤＡＴＡ  ＩＮ  ＴＨＥ  ＬＴＥ  ＵＰＬＩＮＫ」と題する、米国仮出願第６１／０９９４０７号の優先権を主張する。
【０００３】
無線通信方式は、音声、ビデオ、パケットデータ、メッセージング、放送など、様々な通信コンテンツを提供するために広く配備されている。これらの無線方式は、利用可能なシステムリソースを共用することによって、複数のユーザをサポートすることが可能な、多元接続方式とすることができる。そのような多元接続方式の例は、符号分割多元接続（ＣＤＭＡ）方式、時分割多元接続（ＴＤＭＡ）方式、周波数分割多元接続（ＦＤＭＡ）方式、直交ＦＤＭＡ（ＯＦＤＭＡ）方式、およびシングルキャリヤＦＤＭＡ（ＳＣ−ＦＤＭＡ）方式を含む。
【０００４】
無線通信方式は、多くのユーザ機器（ＵＥ）のために通信をサポートすることができる、多くの基地局を含むことができる。ＵＥは、ダウンリンクおよびアップリンクを介して、基地局と通信することができる。ダウンリンク（または順方向リンク）は、基地局からＵＥへの通信リンクのことを指し、アップリンク（または逆方向リンク）は、ＵＥから基地局への通信リンクのことを指す。ＵＥは、参照信号およびデータを基地局に伝送することができる。参照信号は、チャネル推定および／または他の目的で使用することができる。参照信号は、有用なこともあるが、伝送するためにリソースを消費する。リソース利用を改善するために、参照信号およびデータをできるだけ効率的に伝送できれば望ましいことがある。
【発明の概要】
【０００５】
基本系列（base sequence）の循環シフト（cyclic shift）を使用して参照信号およびデータを伝送するための技法が、本明細書で説明される。基本系列は、良好な相関特性を有するように選択することができる。基本系列の異なる循環シフトは、互いに直交することができ、参照信号およびデータを同じリソース上で送信するために使用することができる。技法は、参照信号だけを伝送するＵＥとのバックワード互換性を維持しながら、リソース利用を改善することができる。
【０００６】
１つの設計では、ＵＥは、伝送のためにＵＥに割り当てられる１組の副搬送波を決定することができる。ＵＥは、基本系列の少なくとも１つの循環シフトを使用して、割り当てられたリソース上で、少なくとも１つの参照信号を送信することができる。割り当てられたリソースは、１つの記号期間中の１組の副搬送波に対応することができる。ＵＥは、基本系列の少なくとも１つの他の循環シフトを使用して、割り当てられたリソース上で、データを送信することができる。データは、トラフィックデータ、制御データ、他の何らかのデータもしくは情報、またはそれらの任意の組み合わせを備えることができる。ＵＥは、様々な方法で、少なくとも１つの参照信号およびデータを送信することができる。１つの設計では、ＵＥは、基本系列の単一の循環シフトを使用して、単一の参照信号を送信することができる。別の設計では、ＵＥは、基本系列の複数の循環シフトを使用して、複数の参照信号を送信することが、例えば、ＵＥの伝送アンテナ毎に１つの参照信号を送信することができる。参照信号毎に、ＵＥは、その参照信号のための既知の変調記号を用いて、基本系列の循環シフトを変調することができる。ＵＥは、基本系列の他の循環シフトを使用して、データのための変調記号を送信することができる。ＵＥは、データ変調記号を用いて、データのために使用される基本系列の各循環シフトを変調することができる。
【０００７】
１つの設計では、少なくとも１つの参照信号のための少なくとも１つの循環シフトは、データのための少なくとも１つの他の循環シフトから、少なくとも１つのガード領域（guard region）によって分離することができる。各ガード領域は、１つまたは複数の循環シフトを含むことができる。ＵＥが複数の参照信号を送信する場合、参照信号のための循環シフトは、１つまたは複数の循環シフトによって互いに分離することができる。ガード領域は、無線チャネルに遅延拡散（delay spread）が存在する場合に、検出性能を改善することができる。
【０００８】
１つの設計では、単一のＵＥが、１組の副搬送波上で、少なくとも１つの参照信号およびデータを送信することができる。別の設計では、複数のＵＥが、同じ１組の副搬送波上で、参照信号およびデータを送信することができる。各ＵＥには、異なる１組の循環シフトを割り当てることができ、その１組の循環シフトは、１組の副搬送波で利用可能な、すべての循環シフトのサブセットとすることができる。各ＵＥは、それに割り当てられた１組の循環シフトを使用して、少なくとも１つの参照信号と、場合によってはデータも送信することができる。
【０００９】
本開示の様々な態様および特徴が、以下でさらに詳細に説明される。
【図面の簡単な説明】
【００１０】
【図１】無線通信方式を示す図。
【図２】例示的な伝送構造を示す図。
【図３】基本系列および基本系列の循環シフトを示す図。
【図４】送信機の１つの設計を示す図。
【図５】送信機の１つの設計を示す図。
【図６Ａ】１つの例示的な多重化フォーマットを示す図。
【図６Ｂ】１つの例示的な多重化フォーマットを示す図。
【図６Ｃ】１つの例示的な多重化フォーマットを示す図。
【図７】受信機の設計を示す図。
【図８】参照信号およびデータを送信するためのプロセスを示す図。
【図９】基本系列の循環シフトを変調するためのプロセスを示す図。
【図１０】参照信号およびデータを送信するための装置を示す図。
【図１１】参照信号およびデータを受信するためのプロセスを示す図。
【図１２】基本系列の循環シフトを復調するためのプロセスを示す図。
【図１３】参照信号およびデータを受信するための装置を示す図。
【図１４】基地局およびＵＥのブロック図。
【発明を実施するための形態】
【００１１】
本明細書で説明される技法は、ＣＤＭＡ、ＴＤＭＡ、ＦＤＭＡ、ＯＦＤＭＡ、ＳＣ−ＦＤＭＡ、および他の方式など、様々な無線通信方式のために使用することができる。「方式」および「ネットワーク」という用語は、しばしば交換可能に使用される。ＣＤＭＡ方式は、ユニバーサル地上無線アクセス（ＵＴＲＡ：Universal Terrestrial Radio Access）、ｃｄｍａ２０００などの、無線技術を実施することができる。ＵＴＲＡは、広帯域ＣＤＭＡ（ＷＣＤＭＡ（登録商標））およびＣＤＭＡの他のバリエーションを含む。ｃｄｍａ２０００は、ＩＳ−２０００、ＩＳ−９５、およびＩＳ−８５６規格をカバーする。ＴＤＭＡ方式は、移動体通信用グローバルシステム（ＧＳＭ（登録商標）：Global System for Mobile Communications）などの、無線技術を実施することができる。ＯＦＤＭＡ方式は、進化型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの、無線技術を実施することができる。ＵＴＲＡおよびＥ−ＵＴＲＡは、ユニバーサル移動体通信システム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ）は、Ｅ−ＵＴＲＡを使用するＵＭＴＳの新リリースであり、Ｅ−ＵＴＲＡは、ダウンリンク上ではＯＦＤＭＡを、アップリンク上ではＳＣ−ＦＤＭＡを利用する。ＵＴＲＡ、Ｅ−ＵＴＲＡ、ＵＭＴＳ、ＬＴＥ、ＬＴＥ−Ａ、およびＧＳＭは、「第３世代パートナシッププロジェクト」（３ＧＰＰ）という名称の組織が発行する文書で説明されている。ｃｄｍａ２０００およびＵＭＢは、「第３世代パートナシッププロジェクト２」（３ＧＰＰ２）という名称の組織が発行する文書で説明されている。本明細書で説明される技法は、上で言及された方式および無線技術に加えて、他の方式および無線技術のためにも使用することができる。明瞭にするため、以下では、技法のいくつかの態様がＬＴＥに関して説明され、以下の説明の多くでは、ＬＴＥという用語が使用される。
【００１２】
図１は、無線通信方式１００を示しており、無線通信方式１００は、ＬＴＥ方式または他の何らかの方式とすることができる。方式１００は、多くの進化型ノードＢ（ｅＮＢ）１１０と、他のネットワークエンティティを含むことができる。ｅＮＢは、ＵＥと通信する局とすることができ、基地局、ノードＢ、アクセスポイントなどと呼ばれることもある。ＵＥ  １２０は、方式全体に分散することができ、各ＵＥは、固定された状態でも、または移動可能でもよい。ＵＥは、移動局、端末、アクセス端末、加入者ユニット、局などと呼ばれることもある。ＵＥは、セルラフォン、携帯情報端末（ＰＤＡ）、無線モデム、無線通信デバイス、ハンドヘルドデバイス、ラップトップコンピュータ、コードレスフォン、無線ローカルループ（ＷＬＬ）局などとすることができる。
【００１３】
ＬＴＥは、ダウンリンク上では直交周波数分割多重（ＯＦＤＭ）を、アップリンク上ではシングルキャリヤ周波数分割多重（ＳＣ−ＦＤＭ）を利用する。ＯＦＤＭおよびＳＣ−ＦＤＭは、周波数範囲を複数（ＮFFT）個の直交副搬送波に区分し、その直交副搬送波は一般に、トーン、ビンなどと呼ばれる。方式の帯域幅は、ＮFFT個の副搬送波全体のサブセットに対応することができ、残りの副搬送波は、他の方式のために予約すること、または方式間のガード帯域として使用することができる。各副搬送波は、データを用いて変調することができる。一般に、変調記号は、ＯＦＤＭを用いる場合は周波数領域において、ＳＣ−ＦＤＭを用いる場合は時間領域において送信される。隣接する副搬送波間の間隔は、固定することができ、副搬送波の総数（ＮFFT）は、方式の帯域幅に依存することができる。例えば、ＮFFTは、１．２５ＭＨｚ、２．５ＭＨｚ、５ＭＨｚ、１０ＭＨｚ、または２０ＭＨｚの方式の帯域幅の場合、それぞれ１２８、２５６、５１２、１０２４、または２０４８に等しくすることができる。
【００１４】
図２は、アップリンクのために使用できる伝送構造２００を示している。伝送タイムラインは、サブフレームの単位に区分することができる。各サブフレームは、例えば１ミリ秒（ｍｓ）など、所定の持続時間を有することができ、２つのスロットに区分することができる。各スロットは、Ｑ個の記号期間をカバーすることができ、Ｑは、循環プレフィックス（cyclic prefix）の長さに依存することができる。例えば、各スロットは、（図２に示されていない）拡張された循環プレフィックスの場合、Ｑ＝６の記号期間を、（図２に示された）通常の循環プレフィックスの場合、Ｑ＝７の記号期間をカバーすることができる。多くのリソースブロックを、各スロット内で定義することができる。各リソースブロックは、１つのスロット内で１２個の副搬送波をカバーすることができる。利用可能なリソースブロックを、伝送のためにＵＥに割り当てることができる。
【００１５】
図２はまた、１つのサブフレームの２つのスロットにおける、物理アップリンク共用チャネル（ＰＵＳＣＨ：Physical Uplink Shared Channel）上での例示的なアップリンク伝送を示している。通常の循環プレフィックスの場合、２つのスロットは、０から１３までのインデックスを有する１４個の記号期間を含む。ＵＥには、伝送のためにＭ個の副搬送波を割り当てることができ、Ｍは、１２の倍数とすることができ、この数は、１つのリソースブロックのための副搬送波の数である。Ｍ個の割り当てられた副搬送波上でデータを搬送するＳＣ−ＦＤＭＡ記号は、記号期間３および１０以外の各記号期間において送信することができる。Ｍ個の割り当てられた副搬送波上で復調参照信号（ＤＭ−ＲＳ）を搬送するＳＣ−ＦＤＭＡ記号は、記号期間３および１０の各々において送信することができる。復調参照信号は、データを搬送するＳＣ−ＦＤＭＡ記号のチャネル推定およびコヒーレント復調のために、ｅＮＢによって使用することができる。復調参照信号は、参照信号、パイロット、プリアンブル、リファレンス、トレーニング系列などと呼ばれることもある。
【００１６】
拡張された循環プレフィックスの場合、１つのサブフレーム内の２つのスロットは、０から１１までのインデックスを有する１２個の記号期間を含む。Ｍ個の割り当てられた副搬送波上でデータを搬送するＳＣ−ＦＤＭＡ記号は、記号期間２および８以外の各記号期間において送信することができる。Ｍ個の割り当てられた副搬送波上で復調参照信号を搬送するＳＣ−ＦＤＭＡ記号は、記号期間２および８の各々において送信することができる。
【００１７】
図２に示されるように、復調参照信号は、各スロットにおいて送信することができ、ＳＣ−ＦＤＭＡ記号全体を占有することができる。復調参照信号は、通常の循環プレフィックスではオーバヘッドの１４％を占め、拡張された循環プレフィックスではオーバヘッドの１７％を占めることができる。復調参照信号に起因するオーバヘッドを減少させたほうが望ましいことがある。
【００１８】
一態様では、復調参照信号およびデータは、基本系列の異なる循環シフトを使用して、同時に送信することができる。復調参照信号およびデータは、バックワード互換性を維持する方法で、送信することができる。例えば、データと共に送信される復調参照信号は、いかなるデータも伴わずに送信される復調参照信号と同様の方法で生成することができる。さらに、データと共に復調参照信号を送信するＵＥは、同じ１組の副搬送波上で復調参照信号だけを送信する別のＵＥと多重化することができる。復調参照信号とデータの多重化は、参照オーバヘッド、チャネル推定性能、およびデータスループットの間のトレードオフに基づいて、柔軟に実行することができる。
【００１９】
復調参照信号は、良い相関特性を有する基本系列を用いて生成することができる。基本系列は、フラットスペクトル応答ゼロ自己相関を有するＣＡＺＡＣ（一定振幅ゼロ自己相関（constant amplitude zero auto correlation））系列とすることができる。ゼロ自己相関とは、ＣＡＺＡＣ系列とそれ自体との相関が、ゼロオフセットにおいて大きい値をもたらし、他のすべてのオフセットにおいて小さい（またはゼロ）値をもたらすことを意味する。ゼロ自己相関特性は、ＣＡＺＡＣ系列の正確な検出に有利である。いくつかの例示的なＣＡＺＡＣ系列は、ザドフ−チュー系列（Zadoff-Chu sequence）、チュー系列（Chu sequence）、フランク系列（Frank sequence）、一般化チャープ様（ＧＣＬ）系列（generalized chirp-like sequence）などを含む。
【００２０】
長さＭの周波数領域基本系列は、Ｒ（ｋ）と表すことができる。この基本系列は、長さＭの時間領域基本系列を獲得するために、Ｍ点の逆離散フーリエ変換（ＩＤＦＴ：inverse discrete Fourier transform）を用いて時間領域に変換することができ、長さＭの時間領域基本系列は、ｒ（ｎ）と表すことができる。明瞭にするため、以下の説明の多くでは、周波数領域系列は、大文字および副搬送波インデックスｋで表され（例えばＲ（ｋ））、時間領域系列は、小文字およびサンプルインデックスｎで表される。
【００２１】
Ｍ個の周波数領域直交系列は、以下のように、周波数領域基本系列Ｒ（ｋ）を異なる量だけ循環的にシフトすることによって生成することができ、
【数１】
2014112867.tif 000003
【００２２】
ここで、Ｒm（ｋ）は、ｍの循環シフトを行った周波数領域直交系列である。式（１）に示されるように、異なる周波数領域直交系列を獲得するために、異なる勾配の位相ランプ（phase ramp）を適用することによって、基本系列Ｒ（ｋ）を周波数領域において循環的にシフトすることができる。
【００２３】
周波数領域の直交系列は、時間領域直交系列の周波数領域表現である。ＣＡＺＡＣ系列の場合、周波数領域直交系列も、周波数領域において良い自己相関を有する。しかし、良い時間領域自己相関を有するすべての系列に対しては、この特性が一般に成り立たないことがある。
【００２４】
等価的に、Ｍ個の時間領域直交系列は、以下のように、時間領域基本系列ｒ（ｎ）を異なる量だけ循環的にシフトすることによって生成することができ、
【数２】
2014112867.tif 000004
【００２５】
ここで、ｒm（ｎ）は、ｍの循環シフトを行った時間領域直交系列であり、「ｍｏｄ」は、剰余演算を表す。時間領域直交系列ｒm（ｎ）は、対応する周波数領域直交系列Ｒm（ｋ）のＩＤＦＴであり、ただし、ｍ＝０，．．．，Ｍ−１である。
【００２６】
図３は、時間領域基本系列ｒ（ｎ）と時間領域直交系列ｒm（ｎ）を示している。基本系列ｒ（ｎ）は、サンプルインデックス０からＭ−１にそれぞれ対応する、Ｍ個のサンプルｒ（０）からｒ（Ｍ−１）を含む。直交系列ｒm（ｎ）も、同じＭ個のサンプルｒ（０）からｒ（Ｍ−１）を含み、それらは、図３に示されるように、ｍ個のサンプルが循環的にシフトされている。系列ｒ（ｎ）とｒm（ｎ）は、互いに直交する。
【００２７】
基本系列ｒ（ｎ）のＣＡＺＡＣの特性のため、基本系列のすべての循環シフトが、互いに直交する。したがって、直交系列ｒi（ｎ）とｒj（ｎ）は、ｉ≠ｊである任意のｉと任意のｊについて互いに直交する。直交系列は、上で説明したように、復調参照信号およびデータを伝送するために使用することができる、
図４は、送信機４００の設計のブロック図を示しており、送信機４００は、同じリソース上で復調参照信号およびデータを送信することが可能である。送信機４００内では、基本系列生成器４１０が、長さＭの時間領域基本系列ｒ（ｎ）を生成することができる。生成器４１０内では、基本系列生成器４１２が、例えば、ザドフ−チュー系列または良好な相関特性を有する他の何らかの系列に基づいて、Ｍ個の参照記号を備える周波数領域基本系列Ｒ（ｋ）を生成することができる。ＩＤＦＴユニット４１４は、生成器４１２から基本系列Ｒ（ｋ）を受け取り、基本系列内のＭ個の参照記号上でＭ点ＩＤＦＴを実行し、Ｍ個のサンプルを備える時間領域基本系列ｒ（ｎ）を提供することができる。
【００２８】
循環シフタ４２０は、時間領域基本系列ｒ（ｎ）を受け取り、例えば、式（２）に示されるように、長さＭのＭ個の直交系列ｒ0（ｎ）からｒM-1（ｎ）を生成することができる。循環シフタ４２０は、Ｍ個の直交系列ｒ0（ｎ）からｒM-1（ｎ）を、Ｍ個の乗算器４２２ａから４２２ｍにそれぞれ提供することができる。乗算器４２２ａから４２２ｍは、Ｍ個の変調記号ｓ（０）からｓ（Ｍ−１）もそれぞれ受けることができる。一般に、変調記号は、実数値または複素数値とすることができ、ゼロまたは非ゼロとすることができる。データのための変調記号は、データ変調記号と呼ばれることがある。変調記号ｓ（０）からｓ（Ｍ−１）は各々、参照信号のための既知の変調記号、データ変調記号、またはゼロ値とすることができる。各乗算器４２２は、直交系列ｒm（ｎ）内の各サンプルに変調記号ｓ（ｍ）を乗算することができる。各乗算器４２２は、復調参照系列、データ系列、またはゼロの系列を提供することができる。加算器４２４は、変調されたサンプルｘ（ｎ）を獲得するために、各サンプル期間における乗算器４２２ａから４２２ｍからのサンプルを合算することができ、これは、以下のように表すことができる。
【数３】
2014112867.tif 000005
【００２９】
加算器４２４は、単に記号期間と呼ばれることがある、１つのＳＣ−ＦＤＭＡ記号期間において、Ｍ個の変調されたサンプルを提供することができる。
【００３０】
ＳＣ−ＦＤＭＡ変調器４３０は、加算器４２４からのＭ個の変調されたサンプルを用いて、ＳＣ−ＦＤＭＡ記号を生成することができる。ＳＣ−ＦＤＭＡ変調器４３０内では、離散フーリエ変換（ＤＦＴ：discrete Fourier transform）ユニット４３２が、Ｍ個の変調サンプル上でＭ点ＤＦＴを実行し、Ｍ個の変調記号を提供することができる。記号−副搬送波マッパ４３４は、Ｍ個の変調記号を、伝送のために割り当てられたＭ個の副搬送波にマッピングし、ゼロの信号値を有するゼロ記号を残りの副搬送波にマッピングし、ＮFFT個のマッピングされた記号をＮFFT個の副搬送波全体に提供することができる。逆高速フーリエ変換（ＩＦＦＴ：inverse fast Fourier transform）ユニット４３６は、ＮFFT個のマッピングされた記号上でＮFFT点ＩＦＦＴを実行し、ＮFFT個の時間領域出力サンプルｙ（ｎ）を提供することができる。循環プレフィックス生成器４３８は、ＮFFT個の出力サンプルの最後のＮCP個のサンプルをコピーし、これらのＮCP個のサンプルをＮFFT個の出力サンプルの前方に追加し、ＮFFT＋ＮCP個の出力サンプルを備えるＳＣ−ＦＤＭＡ記号を提供することができる。各出力サンプルは、１つのサンプル期間において伝送するために、複素数値とすることができる。循環プレフィックスは、周波数選択性フェージング（frequency selective fading）によって引き起こされる符号間干渉（ＩＳＩ：inter-symbol interference）に対抗するために使用することができる。
【００３１】
図５は、送信機５００の設計のブロック図を示しており、送信機５００も、同じリソース上で復調参照信号およびデータを送信することが可能である。送信機５００内では、基本系列生成器５１２が、例えば、ザドフ−チュー系列または良好な相関特性を有する他の何らかの系列に基づいて、長さＭの周波数領域基本系列Ｒ（ｋ）を生成することができる。ＤＦＴユニット５１４は、Ｍ個の直交系列と共に送信されるＭ個の変調記号ｓ（ｍ）、ただし、ｍ＝０，．．．，Ｍ−１を受け取り、Ｍ個の変調記号上でＭ点ＤＦＴを実行し、Ｍ個の周波数領域記号Ｓ（ｋ）、ただし、ｍ＝０，．．．，Ｍ−１を提供することができる。乗算器５１６は、基本系列内の参照記号Ｒ（ｋ）と周波数領域記号Ｓ（ｋ）とを記号毎に乗算し、Ｘ（ｋ）＝Ｒ（ｋ）・Ｓ（ｋ）である、Ｍ個の変調された記号Ｘ（ｋ）を提供することができる。
【００３２】
記号−副搬送波マッパ５３４は、Ｍ個の変調記号を、伝送のために割り当てられたＭ個の副搬送波にマッピングし、ゼロ記号を残りの副搬送波にマッピングし、ＮFFT個のマッピング記号をＮFFT個の副搬送波全体に提供することができる。ＩＦＦＴユニット５３６は、ＮFFT個のマッピング記号上でＮFFT点ＩＦＦＴを実行し、ＮFFT個の時間領域出力サンプルを提供することができる。循環プレフィックス生成器５３８は、ＮFFT個の出力サンプルに循環プレフィックスを追加し、ＮFFT＋ＮCP個の出力サンプルを備えるＳＣ−ＦＤＭＡ記号を提供することができる。
【００３３】
図４および図５は、異なる循環シフトの直交系列を用いて復調参照信号およびデータを伝送することができる送信機の２つの例示的な設計を示している。直交系列は、他の方法で生成および変調することもできる。
【００３４】
一般に、Ｍ個の直交系列のｒ0（ｎ）からｒM-1（ｎ）は、１つもしくは複数の復調参照信号、データ、および／または他の情報を送信するために使用することができる。１つの設計では、直交系列ｒ0（ｎ）は、復調参照記号のために使用することができ、残りのＭ−１個の直交系列ｒ1（ｎ）からｒM-1（ｎ）は、最大でＭ−１個のデータ変調記号を送信するために使用することができる。直交系列ｒ0（ｎ）は、復調参照信号のためのｇRSの利得を用いて、例えば、ｓ（０）＝ｇRSを用いてスケーリングすることができる。復調参照信号の送信電力は、ｇRSのための適当な値を選択することによって、データ信号の送信電力に対して（例えばより高く）スケーリングすることができる。残りの各直交系列ｒm（ｎ）は、対応するデータ信号ｘm（ｎ）を獲得するために、データ変調記号ｓ（ｍ）を用いて変調することができる。最大でＭ−１個のデータ変調記号は、異なる循環シフトの最大でＭ−１個の直交系列を用いて送信することができる。
【００３５】
Ｍ個の直交系列ｒ0（ｎ）からｒM-1（ｎ）は、基本系列のＣＡＺＡＣの特性のために互いに直交しているべきである。しかし、直交性は、無線チャネルにおける遅延拡散のために損なわれることがある。遅延拡散は、送信機によって伝送された信号のうち受信機に最も早く到達した信号インスタンスと最も遅く到達した信号インスタンスの間の差である。遅延拡散は、時間が経つにつれて直交系列が劣化する原因となることがある。遅延拡散よりも短い時間によって分離された循環シフトを用いる直交系列は、より高い相互相関結果を有することができ、それが、検出性能に悪影響を与えることがある。
【００３６】
遅延拡散に起因する直交性の喪失に対抗するため、復調参照信号のために使用される直交系列は、データのために使用される直交系列からガード領域によって分離することができる。各ガード領域は、復調参照信号の劣化を回避するために、使用されない循環シフトの範囲を含むことができる。
【００３７】
図６Ａは、１つのＵＥのための復調参照信号とデータを多重化する設計を示している。明瞭にするために、図６Ａは、Ｍ＝１２００個の副搬送波がＵＥに割り当てられる例を示しており、ＮFFT個の副搬送波全体は、２０ＭＨｚの帯域幅で利用可能である。１２００個の可能な循環シフトには、０から１１９９までのインデックスが割り当てられる。図６Ａに示される例では、１個の循環シフトｍ＝０からなるブロックは、復調参照信号のために使用され、「Ｐ」で表される。９９個の循環シフトｍ＝１から９９からなるブロックは、第１のガード領域のために使用され、「Ｇ１」で表される。１００１個の循環シフトｍ＝１００から１１００からなるブロックは、データのために使用され、「Ｄ」で表される。９９個の循環シフトｍ＝１１０１から１１９９からなるブロックは、第２のガード領域のために使用され、「Ｇ２」で表される。
【００３８】
ボックス６１０は、異なる循環シフトの１２００個の直交系列のための１２００個の変調記号を示している。ゼロの循環シフトを用いる直交系列は、復調参照信号を獲得するために、１（またはｇRS）の値を用いて変調することができる。次の９９個の循環シフトは、未使用とすることができ、それらの直交系列は各々、０を用いて変調することができる。次の１００１個の循環シフトは、データのために使用することができ、それらの直交系列は、１００１個のデータ変調記号ｄ（０）からｄ（１０００）を用いて変調することができる。各データ変調記号は、ＱＰＳＫ記号、１６−ＱＡＭ記号、６４−ＱＡＭ記号などとすることができる。最後の９９個の循環シフトは、未使用とすることができ、それらの直交系列は各々、０を用いて変調することができる。
【００３９】
図６Ａに示されるように、データ変調記号は、データ領域Ｄ内の循環シフト毎に送信することができる。データ変調記号は、データ領域内の循環シフトのサブセットで送信することもできる。この場合、データ変調記号は、データ領域内の循環シフト間で、できるだけ均等に間隔を空けて配置することができる。例えば、１０１個のデータ変調記号は、循環シフト１０個ずつの間隔を空けて配置することができる、循環シフト１００、１１０、１２０、．．．、１１００を用いて送信することができる。これによって、データ系列間の干渉を低減することができる。
【００４０】
ガード領域Ｇ１およびＧ２は、データ系列から復調参照信号を、また復調参照信号からデータ系列を保護することができる。ガード領域Ｇ１およびＧ２は各々、遅延拡散に起因する直交性の喪失に対抗するために、遅延拡散よりも長くすることができる。ガード領域Ｇ１およびＧ２は、等しい長さを有しても、または異なる長さを有してもよい。あまり厳格ではないシステムでは、復調参照信号に起因するデータ系列のある程度の劣化が許容できる場合は、第１のガード領域Ｇ１は、省略または短縮することができる。
【００４１】
システムは、空間分割多元接続（ＳＤＭＡ：spatial division multiple access）をサポートすることができる。アップリンク上でのＳＤＭＡの場合、複数のＵＥが、共用リソース上で同時に復調参照信号およびデータをｅＮＢに送信することができる。ｅＮＢは、複数のＵＥによって同時に送信された復調参照信号およびデータを回復するために、受信機処理を実行することができる。これらのＵＥは、その空間互換性（spatial compatibility）のために選択されて、ｅＮＢによってより容易に分離することができる。
【００４２】
ＳＤＭＡの場合、複数のＵＥには、Ｍ個の副搬送波をカバーする同じリソースブロックを割り当てることができる。基本系列のＭ個の循環シフトは、ＵＥへの割り当てに利用可能とすることができる。各ＵＥには、リソースブロックを共用する他のいかなるＵＥにも割り当てられていない循環シフトを含むことができる、異なる１組の循環シフトを割り当てることができる。各ＵＥは、割り当てられた１組の循環シフトを使用して、復調参照信号およびデータを送信することができる。
【００４３】
図６Ｂは、ＳＤＭＡを用いる２つのＵＥのための復調参照信号とデータを多重化する設計を示している。明瞭にするために、図６Ｂは、Ｍ＝１２００個の副搬送波が２つのＵＥに割り当てられる例を示しており、１２００個の可能な循環シフトには、０から１１９９までのインデックスが割り当てられる。第１のＵＥには、前半の６００個の循環シフト０から５９９が割り当てられ、第２のＵＥには、後半の６００個の循環シフト６００から１１９９が割り当てられる。
【００４４】
図６Ｂに示される例では、第１のＵＥの場合、１個の循環シフトｍ＝０からなるブロック（「Ｐ１」）は、復調参照信号のために使用され、９９個の循環シフトｍ＝１から９９からなるブロック（「Ｇ１１」）は、第１のガード領域のために使用され、４０１個の循環シフトｍ＝１００から５００からなるブロック（「Ｄ１」）は、データのために使用され、９９個の循環シフトｍ＝５０１から５９９からなるブロック（「Ｇ１２」）は、第２のガード領域のために使用される。第２のＵＥの場合、１個の循環シフトｍ＝６００からなるブロック（「Ｐ２」）は、復調参照信号のために使用され、９９個の循環シフトｍ＝６０１から６９９からなるブロック（「Ｇ２１」）は、第１のガード領域のために使用され、４０１個の循環シフトｍ＝７００から１１００からなるブロック（「Ｄ２」）は、データのために使用され、９９個の循環シフトｍ＝１１０１から１１９９からなるブロック（「Ｇ２２」）は、第２のガード領域のために使用される。
【００４５】
ボックス６２０は、異なる循環シフトの１２００個の直交系列のための１２００個の変調記号を示している。０および６００の循環シフトを用いる２つの直交系列は各々、復調参照信号を獲得するために、１（またはｇRS）の値を用いて変調することができる。循環シフト１００から５００を用いる４０１個の直交系列は、第１のＵＥのために、４０１個のデータ変調記号ｄ1（０）からｄ1（４００）を用いて変調することができる。循環シフト７００から１１００を用いる４０１個の直交系列は、第２ＵＥのために、４０１個のデータ変調記号ｄ2（０）からｄ2（４００）を用いて変調することができる。残りの循環シフトは、未使用とすることができ、それらの直交系列は各々、０を用いて変調することができる。
【００４６】
図６Ｃは、ＳＤＭＡを用いる２つのＵＥのための復調参照信号とデータを多重化する別の設計を示している。この例では、２つのＵＥには、Ｍ＝１２００個の副搬送波が割り当てられ、第１のＵＥは、復調参照信号だけを伝送し、第２のＵＥは、復調参照信号およびデータを伝送する。図６Ｃの例では、第１のＵＥの場合、１個の循環シフトｍ＝０からなるブロック（「Ｐ１」）は、復調参照信号のために使用され、９９個の循環シフトｍ＝１から９９からなるブロック（「Ｇ１１」）は、ガード領域のために使用される。第２のＵＥの場合、１個の循環シフトｍ＝１００からなるブロック（「Ｐ２」）は、復調参照信号のために使用され、９９個の循環シフトｍ＝１０１から１９９からなるブロック（「Ｇ２１」）は、第１のガード領域のために使用され、９０１個の循環シフトｍ＝２００から１１００からなるブロック（「Ｄ」）は、データのために使用され、９９個の循環シフトｍ＝１１０１から１１９９からなるブロック（「Ｇ２２」）は、第２のガード領域のために使用される。ボックス６３０は、異なる循環シフトの１２００個の直交系列のための１２００個の変調記号を示している。
【００４７】
図６Ｃは、ＳＤＭＡを用いる２つのＵＥのための復調参照信号とデータを多重化する別の設計も示しており、２つのＵＥは、循環シフトの同じまたは異なる組を使用して、データを伝送することができる。図６Ｃに示される例では、２つのＵＥには、Ｍ＝１２００個の副搬送波が割り当てられ、両方のＵＥは、１２００個の割り当てられた副搬送波上で、復調参照信号およびデータを伝送する。第１のＵＥの場合、１個の循環シフトｍ＝０からなるブロック（「Ｐ１」）は、復調参照信号のために使用され、９９個の循環シフトｍ＝１から９９からなるブロック（「Ｇ１１」）は、第１のガード領域のために使用される。第２のＵＥの場合、１個の循環シフトｍ＝１００からなるブロック（「Ｐ２」）は、復調参照信号のために使用され、９９個の循環シフトｍ＝１０１から１９９からなるブロック（「Ｇ２１」）は、第２のガード領域のために使用される。両方のＵＥについて、９０１個の循環シフトｍ＝２００から１１００からなるブロック（「Ｄ」）は、データのために使用され、９９個の循環シフトｍ＝１１０１から１１９９からなるブロック（「Ｇ２２」）は、第３のガード領域のために使用される。データ領域Ｄは、完全なオーバラップを用いて、両方のＵＥに十分に割り当てることができる。代替的に、データ領域Ｄは、部分的なオーバラップを用いてまたは用いずに、２つのＵＥに不均等に割り当てることができる。オーバラップとは、循環シフトが両方のＵＥに割り当てられることを意味し、完全なオーバラップとは、２つのＵＥに同じ１組の循環シフトが割り当てられることを意味し、部分的なオーバラップとは、２つのＵＥに循環シフトの異なる組が割り当てられるが、１つまたは複数の循環シフトは両方のＵＥに割り当てられることを意味する。オーバラップが存在する場合、ｅＮＢは、２つのＵＥによって送信された個々のデータを回復するために、受信機空間処理技法を使用することができる。ボックス６３０は、異なる循環シフトの１２００個の直交系列のための１２００個の変調記号を示している。図６Ｃには示されていないが、データ領域において、２つの変調記号ｄ1（ｍ）およびｄ2（ｍ）は、両方のＵＥに割り当てられた各循環シフトｍについて、２つのＵＥによって送信することができる。
【００４８】
システムは、アップリンク上で、多入力一出力（ＭＩＳＯ：multiple-input single-output）伝送および／または多入力多出力（ＭＩＭＯ：multiple-input multiple-output）伝送をサポートすることができる。アップリンク上でのＭＩＳＯまたはＭＩＭＯの場合、ＵＥは、ＵＥの複数の伝送アンテナから複数の復調参照信号を、例えば、各アンテナから１つの復調参照信号を伝送することができる。ＵＥは、復調参照信号と共にデータも同時に送信することができる。ｅＮＢは、ＵＥの各伝送アンテナから伝送された復調参照信号に基づいて、そのアンテナについてのチャネル推定値を導出することができる。ｅＮＢは、すべての伝送アンテナについてのチャネル推定値に基づいて、ＵＥによって送信されたデータを回復することができる。
【００４９】
図６Ｃは、アップリンク上でＭＩＳＯまたはＭＩＭＯを用いる単一のＵＥのための復調参照信号とデータを多重化する設計を示している。この例では、ＵＥは、ＵＥに割り当てられたＭ＝１２００個の副搬送波上で、２つの復調参照信号およびデータを伝送する。図６Ｃに示される例では、１個の循環シフトｍ＝０からなるブロック（「Ｐ１」）は、第１の伝送アンテナのための第１の復調参照信号のために使用され、９９個の循環シフトｍ＝１から９９からなるブロック（「Ｇ１１」）は、第１のガード領域のために使用され、１個の循環シフトｍ＝１００からなるブロック（「Ｐ２」）は、第２の伝送アンテナのための第２の復調参照信号のために使用され、９９個の循環シフトｍ＝１０１から１９９からなるブロック（「Ｇ２１」）は、第２のガード領域のために使用され、９０１個の循環シフトｍ＝２００から１１００からなるブロック（「Ｄ」）は、データのために使用され、９９個の循環シフトｍ＝１１０１から１１９９からなるブロック（「Ｇ２２」）は、第３のガード領域のために使用される。ボックス６３０は、異なる循環シフトの１２００個の直交系列のための１２００個の変調記号を示している。
【００５０】
図６Ａ、図６Ｂ、および図６Ｃは、同じ１組の副搬送波上で１つまたは複数の復調参照信号およびデータを多重化するために使用できる、３つの例示的な多重化フォーマットを示している。図６Ａ、図６Ｂ、および図６Ｃは、各多重化フォーマットについての領域の特定の組み合わせと、各領域の特定のサイズも示している。図６Ａの多重化フォーマットは、１つのＵＥのために使用することができ、図６Ｂおよび図６Ｃの多重化フォーマットは、１つまたは２つのＵＥのために使用することができる。他の多重化フォーマットも定義することができる。例えば、１つまたは複数のＵＥのための３つ以上の復調参照信号をサポートする多重化フォーマットを定義することができる。３つ以上のＵＥをサポートする多重化フォーマットも定義することができる。
【００５１】
一般に、利用可能な循環シフトは、１つまたは複数の組に区分することができ、循環シフトの各組を、異なるＵＥに割り当てることができる。各ＵＥには、任意の数の循環シフトを割り当てることができる。各ＵＥのための１組の循環シフトは、復調参照信号、データ、およびガードのために、任意の数の領域に区分することができる。各領域は、任意の適切なサイズを有することができる。２つのＵＥの間のガード領域（例えば、図６Ｂのガード領域Ｇ１２およびＧ２２）は、遅延拡散に２つのＵＥの間の予想タイミング誤差を加えたものよりも長くなるように選択することができる。同じＵＥからの異なる伝送の間のガード領域（例えば、図６Ａのガードの領域Ｇ１およびＧ２、図６Ｂのガード領域Ｇ１１およびＧ２１）は、遅延拡散よりも長くなるように選択することができる。各ガード領域のサイズは、割り当てられた副搬送波の数の特定の割合によって、すなわち、Ｍの特定の割合によって与えることができる。図６Ａに示される例の場合、各ガード領域は、１２００個の副搬送波の割り当てに対して、９９個の循環シフトをカバーすること、６００個の副搬送波の割り当てに対して、４９個の循環シフトをカバーすること、３００個の副搬送波の割り当てに対して、２４個の循環シフトをカバーすることなどができる。同様に、各データ領域のサイズも、割り当てられた副搬送波の数に従ってスケーリングすることができる。
【００５２】
復調参照信号とデータを多重化するためのパラメータは、様々な方法でＵＥに伝達することができる。１つの設計では、ｅＮＢは、使用するために選択された多重化フォーマット、および／または選択された多重化フォーマット内の領域についてのパラメータを伝達するために、シグナリングを送信することができる。図６Ａに示される多重化フォーマットの場合、ｅＮＢは、ガード領域Ｇ１およびＧ２のサイズ、ならびに／またはデータ領域Ｄのサイズを伝達することができる。ガード領域Ｇ１およびＧ２のサイズはまた、すべてのＵＥにブロードキャストすることができ、または循環プレフィックス長（ＮCP）などの他のパラメータに結び付けることができる。ＳＤＭＡの場合、ｅＮＢは、開始循環シフトと、ＵＥに割り当てられた循環シフトの数を伝達することもできる。別の設計では、１組の多重化構成を、例えば、ＬＴＥ規格で定義することができる。各多重化構成は、特定の多重化フォーマットに加えて、多重化フォーマットによって定義された領域毎の特定のサイズにも関連付けることができる。ｅＮＢは、使用するための多重化構成を選択することができ、選択された構成のインデックスをＵＥに送信することができる。ｅＮＢは、他の方法で、多重化のためのパラメータを伝達することもできる。
【００５３】
図７は、受信機７００の設計のブロック図を示しており、受信機７００は、同じリソース上で多重化された復調参照信号とデータを受信することが可能である。受信機５００内では、循環プレフィックス除去ユニット７１２は、１つのＳＣ−ＦＤＭＡシンボル期間において、ＮFFT＋ＮCP個の受信サンプルを獲得し、循環プレフィックスに対応するＮCP個の受信サンプルを除去し、ＮFFT個の受信サンプルを提供することができる。高速フーリエ変換（ＦＦＴ）ユニット７１４は、ＮFFT個の副搬送波全体ｚ（ｎ）について、ＮFFT個の受信サンプル上でＮFFT点ＦＦＴを実行し、ＮFFT個の受信記号を提供することができる。記号−副搬送波デマッパ７１６は、伝送のために使用されたＭ個の副搬送波からＭ個の受信記号Ｚ（ｋ）を提供することができ、残りの受信記号は廃棄することができる。
【００５４】
基本系列生成器７２２は、長さＭの周波数領域基本系列Ｒ（ｋ）を生成することができる。ユニット７２４は、基本系列Ｒ（ｋ）内の各参照記号の複素共役を提供することができる。乗算器７２６は、各受信記号Ｚ（ｋ）に対応する複素共役参照記号Ｒ*（ｋ）を乗算し、対応する入力記号Ｗ（ｋ）を提供することができる。ＩＤＦＴユニット７３２は、乗算器７２６からのＭ個の入力記号上でＭ点ＩＤＦＴを実行し、Ｍ個の時間領域入力サンプルｗ（ｎ）、ただし、ｎ＝０，．．．，Ｍ−１を提供することができる。各入力サンプルｗ（ｎ）は、受信サンプルと特定の循環シフトｎの直交系列の間の相関結果を示すことができる。したがって、乗算器７２６およびＩＤＦＴユニット７３２は、受信サンプルを異なる循環シフトのＭ個の直交系列と効率的に相関させることができる。
【００５５】
デマルチプレクサ７３４は、各復調参照信号のための入力サンプルをチャネル推定器７３６に提供することができ、残りの入力サンプルをデータ復調器７３８に提供することができる。例えば、図６Ａに示されるように、ただ１つのＵＥが、Ｍ個の副搬送波上で伝送した場合、デマルチプレクサ７３４は、最初のＬ個の入力サンプルｗ（０）からｗ（Ｌ−１）をチャネル推定器７３６に提供することができ、残りのＭ−Ｌ個の入力サンプルをデータ復調器７３８に提供することができる。Ｌは、復調参照信号領域と後続のガード領域のサイズ以下とすることができる。図６Ａに示される例の場合、Ｌは、１００以下とすることができる。最初のＬ個の入力サンプルは、ＵＥからｅＮＢへの無線チャネルのためのチャネルインパルス応答のＬタップに対応することができる。チャネル推定器７３６は、最初のＬ個の入力サンプルに基づいて、チャネル推定値を導出することができる。チャネル推定値は、時間領域チャネルインパルス応答推定値、周波数領域チャネル周波数応答推定値などとすることができる。
【００５６】
データ復調器７３８は、チャネル推定値に基づいて、残りの入力サンプルを復調し、検出された記号
【数４】
2014112867.tif 000006
【００５７】
を提供することができ、検出された記号は、ＵＥによって伝送されたデータ変調記号ｄ（ｍ）の推定値とすることができる。データ復調器７３８は、データ領域内の循環シフト間のチップ間干渉（interchip interference）を軽減するために、チャネル推定値を用いて等化を実行することができる。
【００５８】
例えば、図６Ｂまたは図６Ｃに示されるように、複数のＵＥがＭ個の副搬送波上で伝送する場合、デマルチプレクサ７３４は、復調参照信号領域およびガード領域の各組に対応する入力サンプルをチャネル推定器７３６に提供することができ、残りの入力サンプルをデータ復調器７３８に提供することができる。チャネル推定器７３６は、各復調参照信号のためのチャネル推定値を、その参照信号のための入力サンプルに基づいて導出することができる。データ復調器７３８は、各ＵＥからのデータに対応する入力サンプルを、そのＵＥのためのチャネル推定値に基づいて復調することができ、検出された記号をＵＥに提供することができる。
【００５９】
図７は、同じリソース上で送信された復調参照信号およびデータを回復できる受信機の例示的な設計を示している。チャネル推定および復調は、他の方法で実行することもできる。
【００６０】
本明細書で説明される技法は、復調参照信号が同じリソース上でデータと多重化されることを可能にすることができる。結果の出力サンプルは、多重化のために、より高いピーク対平均電力比（ＰＡＰＲ：peak-to-average-power ratio）を有することができる。高いアップリンク電力ヘッドルーム（power headroom）を有するＵＥ（例えば、ｅＮＢの近くに配置され、その結果、比較的低い電力で伝送するＵＥ）の場合、単一搬送波波形を維持する必要はないことがあり、単一搬送波波形は、所定の記号期間において復調参照信号のみまたはデータのみを伝送することによって、獲得することができる。復調参照信号と共にデータを送信することは、これらのＵＥにとって有益なことがある。この技法は、低い遅延拡散を有するシナリオでは、復調参照信号のためのオーバヘッドを１４％から１７％低減して、ゼロに近づけることができることがある。例えば、ＵＥは、図６Ａに示されている多重化フォーマットを用いて、１つのＳＣ−ＦＤＭＡ記号内で１００１個のデータ変調記号を伝送できることがある。
【００６１】
本明細書で説明された技法は、本質的に、記号期間において利用可能な次元を、基本系列の異なる循環シフトを使用して、符号領域において、直交系列または拡散符号として分割する。本明細書で説明された技法は、直交系列を使用して、復調参照信号とデータの間の直交性を維持することができる。この技法はまた、ＳＤＭＡのための複数のＵＥの多重化をサポートすることができ、これらのＵＥの間の直交性を維持することができる。調整された割り当てを用いて、隣接セル内のＵＥの間で直交性を維持することができる。
【００６２】
図８は、無線通信方式において参照信号およびデータを送信するためのプロセス８００の設計を示している。プロセス８００は、（以下で説明されるように）ＵＥによって、または他の何らかのエンティティによって実行することができる。ＵＥは、伝送のためにＵＥに割り当てられた１組の副搬送波を決定することができる（ブロック８１２）。ＵＥは、基本系列の少なくとも１つの循環シフトを使用して、割り当てられたリソース上で、少なくとも１つの参照信号を送信することができる（ブロック８１４）。割り当てられたリソースは、記号期間における１組の副搬送波に対応することができる。基本系列は、ザドフ−チュー系列または他の何らかの系列などのＣＡＺＡＣ系列を備えることができる。基地局の各循環シフトは、上で説明したように、異なる直交系列に対応することができる。各参照信号は、データ復調のために使用される復調参照信号または他の何らかの信号とすることができる。ＵＥは、基本系列の少なくとも１つの他の循環シフトを使用して、割り当てられたリソース上で、データを送信することができる（ブロック８１６）。
【００６３】
ブロック８１４の間に、ＵＥは、基本系列の異なる循環シフトを使用して、各参照信号を送信することができる。各参照信号について、ＵＥは、参照信号の既知の変調記号（例えばｇRS）を用いて、基本系列の循環シフトを変調することができる。ブロック８１６の間に、ＵＥは、データにデータ変調記号を用いて、基本系列の各循環シフトを変調することができる。ＵＥは、様々な方法で循環シフトを変調することができる。
【００６４】
図９は、基本系列の循環シフトを変調するためのプロセス９００の設計を示している。プロセス９００は、図８のステップ８１４および８１６のために使用することができ、図５に示されるように実施することができる。ＵＥは、周波数領域記号を獲得するために、少なくとも１つの参照信号およびデータのための変調記号を変換することができる（ブロック９１２）。ＵＥは、変調された記号を獲得するために、基本系列のための参照記号に周波数領域記号を乗算することができる（ブロック９１４）。ＵＥは、変調された記号を、伝送のために割り当てられた１組の副搬送波にマッピングすることができ、ゼロ記号を残りの副搬送波にマッピングすることができる（ブロック９１６）。ＵＥは、記号期間中に伝送するための時間領域出力サンプルを獲得するために、マッピングされた記号を変換することができる（ブロック９１８）。
【００６５】
ＵＥは、様々な方法で参照信号およびデータを送信することができる。１つの設計では、ＵＥは、例えば、図６Ａに示されるように、基本系列の単一の循環シフトを使用して、単一の参照信号を送信することができる。別の設計では、ＵＥは、基本系列の複数の循環シフトを使用して、複数の参照信号を送信することが、例えば、ＵＥの伝送アンテナ毎に１つの参照信号を送信することができる。ＵＥは、基本系列の複数の循環シフトを使用して、複数のデータ変調記号を送信することができる。１つの設計では、ＵＥは、参照信号のために使用される各循環シフトがデータのために使用される各循環シフトよりも高い送信電力を獲得するように、少なくとも１つの参照信号のために使用される少なくとも１つの循環シフトにより高い利得を適用することができる。
【００６６】
１つの設計では、ＵＥは、ＵＥに割り当てられた１組の循環シフトを決定することができる。１組の循環シフトは、ＵＥに割り当てられた１組の副搬送波で利用可能な、すべての循環シフトのサブセットを含むことができる。ＳＤＭＡの場合、残りの利用可能な循環シフトは、少なくとも１つの他のＵＥに割り当てることができる。ＵＥは、ＵＥに割り当てられた１組の循環シフトから、少なくとも１つの参照信号のための少なくとも１つの循環シフトと、データのための少なくとも１つの他の循環シフトを決定することができる。
【００６７】
１つの設計では、少なくとも１つの参照信号のための少なくとも１つの循環シフトは、例えば、図６Ａから図６Ｃに示されるように、少なくとも１つのガード領域によって、データのための少なくとも１つの他の循環シフトから分離することができる。各ガード領域は、１つまたは複数の循環シフトを含むことができる。ＵＥが複数の参照信号を送信する場合、複数の参照信号のための循環シフトは、１つまたは複数の循環シフトによって互いに分離することができる。
【００６８】
１つの設計では、ＵＥは、少なくとも１つの参照信号のために使用する少なくとも１つの循環シフト、および／またはデータのために使用する少なくとも１つの他の循環シフトを示すシグナリングを受信することができる。シグナリングは、使用する多重化フォーマット、多重化フォーマット内の各領域のサイズなどを示すことができる。代替的に、シグナリングは、サポートされるすべての多重化構成のうちの選択された多重化構成のインデックスを伝達することができる。
【００６９】
図１０は無線通信方式において参照信号およびデータを送信するための装置１０００の設計を示している。装置１０００は、伝送のためにＵＥに割り当てられた１組の副搬送波を決定するためのモジュール１０１２と、基本系列の少なくとも１つの循環シフトを使用して割り当てられたリソース上で少なくとも１つの参照信号を送信するためのモジュール１０１４であって、割り当てられたリソースが記号期間における１組の副搬送波に対応する、モジュール１０１４と、基本系列の少なくとも１つの他の循環シフトを使用して割り当てられたリソース上でデータを送信するためのモジュール１０１６とを含む。
【００７０】
図１１は、無線通信方式において参照信号およびデータを受信するためのプロセス１１００の設計を示している。プロセス１１００は、（以下で説明されるように）基地局／ｅＮＢによって、または他の何らかのエンティティによって実行することができる。ｅＮＢは、伝送のためにＵＥに割り当てられた１組の副搬送波を決定することができる（ブロック１１１２）。ｅＮＢは、基本系列の少なくとも１つの循環シフトを使用して、割り当てられたリソース上で、ＵＥによって送信された少なくとも１つの参照信号を受信することができる（ブロック１１１４）。割り当てられたリソースは、シンボル期間における１組の副搬送波に対応することができる。ｅＮＢは、基本系列の少なくとも他の１つの循環シフトを使用して、割り当てられたリソース上で、ＵＥによって送信されたデータを受信することができる（ブロック１１１６）。ｅＮＢは、様々な方法で参照信号およびデータのための復調を実行することができる。
【００７１】
図１２は、基本系列の循環シフトを復調するためのプロセス１２００の設計を示している。プロセス１２００は、図７に示されるように実施することができる。ｅＮＢは、受信記号を獲得するために、シンボル期間中の受信サンプルを周波数領域に変換することができる（ブロック１２１２）。ｅＮＢは、ＵＥに割り当てられた１組の副搬送波のための受信記号を抽出することができ、残りの受信記号を廃棄することができる（ブロック１２１４）。ｅＮＢは、入力記号を獲得するために、抽出された記号に基本系列から導出された記号を乗算することができる（ブロック１２１６）。その後、ｅＮＢは、入力サンプルを獲得するために、入力記号を時間領域に変換することができる（ブロック１２１８）。ｅＮＢは、入力サンプルの第１のサブセットに基づいて、チャネル推定値を導出することができる（ブロック１２２０）。ｅＮＢは、ＵＥによって送信されたデータのための検出された記号を獲得するために、チャネル推定値を用いて、入力サンプルの第２のサブセットに対してデータ復調を実行することができる（ブロック１２２２）。
【００７２】
１つの設計では、ｅＮＢは、基本系列の単一の循環シフトを使用して、ＵＥによって送信された単一の参照信号を受信することができる。別の設計では、ｅＮＢは、基本系列の複数の循環シフトを使用して、ＵＥによって送信された複数の参照信号を受信することが、例えば、ＵＥの伝送アンテナ毎に１つの参照信号を受信することができる。各参照信号は、基本系列の異なる循環シフトを使用して、送信することができる。ｅＮＢは、ＵＥの各伝送アンテナから送信された参照信号に基づいて、そのアンテナのためのチャネル推定値を導出することができる。両方の設計のために、ｅＮＢは、基本系列の複数の循環シフトを使用して、ＵＥによって送信された複数のデータ変調記号を受信することができる。
【００７３】
ＳＤＭＡの場合、ｅＮＢは、ＵＥに割り当てられた循環シフトの第１の組を決定することができ、第２のＵＥに割り当てられた循環シフトの第２の組を決定することができる。両方のＵＥには、同じ１組の副搬送波を割り当てることができる。循環シフトの第１および第２の組は、割り当てられた１組の副搬送波で利用可能な、すべての循環シフトの異なるサブセットを備えることができる。ｅＮＢは、循環シフトの第１の組を使用して、ＵＥによって送信された少なくとも１つの参照信号およびデータを受信することができる。ｅＮＢは、循環シフトの第２の組を使用して、第２のＵＥによって送信された少なくとも１つの参照信号および場合によってはデータを受信することができる。ｅＮＢは、１組の副搬送波上で３つ以上のＵＥを多重化することもできる。
【００７４】
ｅＮＢは、少なくとも１つの参照信号のために使用する少なくとも１つの循環シフト、および／またはデータのために使用する少なくとも１つの他の循環シフトを示すシグナリングをＵＥに送信することができる。シグナリングは、上で説明したように、様々な方法で適切な情報を伝達することができる。
【００７５】
図１３は、無線通信方式において参照信号およびデータを受信するための装置１３００の設計を示している。装置１３００は、伝送のためにＵＥに割り当てられた１組の副搬送波を決定するためのモジュール１３１２と、基本系列の少なくとも１つの循環シフトを使用して割り当てられたリソース上でＵＥによって送信された少なくとも１つの参照信号を受信するためのモジュール１３１４であって、割り当てられたリソースは記号期間における１組の副搬送波に対応する、モジュール１３１４と、基本系列の少なくとも１つの他の循環シフトを使用して割り当てられたリソース上でＵＥによって送信されたデータを受信するためのモジュール１３１６とを含む。
【００７６】
図１０および図１３のモジュールは、プロセッサ、電子デバイス、ハードウェアデバイス、電子コンポーネント、論理回路、メモリ、ソフトウェアコード、ファームウェアコードなど、またはそれらの任意の組み合わせを備えることができる。
【００７７】
図１４は、図１のｅＮＢの１つおよびＵＥの１つとすることができる、基地局／ｅＮＢ  １１０およびＵＥ  １２０の設計のブロック図を示している。ＵＥ  １２０は、Ｔ個のアンテナ１４３４ａから１４３４ｔを装備することができ、ｅＮＢ  １１０は、Ｒ個のアンテナ１４５２ａから１４５２ｒを装備することができ、一般に、Ｔ≧１およびＲ≧１である。
【００７８】
ＵＥ  １２０では、送信プロセッサ１４２０は、データ源１４１２からトラフィックデータを受け取り、１つまたは複数の変調および符号化方式に基づいて、トラフィックデータを処理（例えば、符号化、インタリーブ、および変調）し、トラフィックデータのための変調記号を提供する。送信プロセッサ１４２０は、コントローラ／プロセッサ１４４０からの制御データを処理し、制御データのための変調記号を提供することもできる。送信プロセッサ１４２０は、例えば、図４または図５に示されるように、基本系列を生成し、既知の変調記号および／またはデータ変調記号を用いて、基本系列の異なる循環シフトを変調する。送信（ＴＸ）ＭＩＭＯプロセッサ１４３０は、適用可能である場合、送信プロセッサ１４２０からの記号に対して空間処理（例えばプリコーディング）を実行し、Ｔ個の出力記号ストリームをＴ個の変調器（ＭＯＤ）１４３２ａから１４３２ｔに提供する。各変調器１４３２は、出力サンプルストリームを獲得するために、（例えばＳＣ−ＦＤＭＡのための）それぞれの出力記号ストリームを処理することができる。各変調器１４３２は、アップリンク信号を獲得するために、出力サンプルストリームをさらに処理（例えば、アナログ変換、増幅、フィルタリング、およびアップコンバート）することができる。変調器１４３２ａから１４３２ｔからのＴ個のアップリンク信号は、Ｔ個のアンテナ１４３４ａから１４３４ｔを介してそれぞれ送信することができる。
【００７９】
ｅＮＢ  １１０では、アンテナ１４５２ａから１４５２ｒは、ＵＥ  １２０からアップリンク信号を受信して、受信信号を復調器（ＤＥＭＯＤ）１４５４ａから１４５４ｒにそれぞれ提供することができる。各復調器１４５４は、受信サンプルを獲得するために、それぞれの受信信号を調整（例えば、フィルタリング、増幅、ダウンコンバート、ディジタル化）することができる。各復調器１４５４は、入力記号を獲得するために、受信サンプルをさらに処理することができる。例えば、各復調器１４５４は、例えば、図７に示されるように、基本系列の異なる循環シフトを復調することができる。ＭＩＭＯ検出器１４５６は、すべてのＲ個の復調器１４５４ａから１４５４ｒから入力記号を獲得し、適用可能な場合は、入力記号に対してＭＩＭＯ検出を実行し、検出された記号を提供することができる。受信プロセッサ１４５８は、検出された記号を処理（例えば、復調、デインタリーブ、復号）し、復号されたトラフィックデータをデータシンク１４６０に提供し、復号された制御データをコントローラ／プロセッサ１４８０に提供することができる。
【００８０】
ダウンリンク上では、ｅＮＢ  １１０において、データ源１４６２からのトラフィックデータ、およびコントローラ／プロセッサ１４８０からの制御データ（例えばリソース割り当て）は、送信プロセッサ１４６４によって処理され、適用可能な場合は、ＴＸ  ＭＩＭＯプロセッサ１４６６によってプリコーディングされ、変調器１４５４ａから１４５４ｒによって調整されて、ＵＥ  １２０に送信されることができる。ＵＥ  １２０では、ｅＮＢ  １１０からのダウンリンク信号は、ＵＥ  １２０に送信されたトラフィックデータおよび制御データを獲得するために、アンテナ１４３４によって受信され、復調器１４３２によって調整され、適用可能な場合は、ＭＩＭＯ検出器１４３６によって処理され、受信プロセッサ１４３８によってさらに処理されることができる。
【００８１】
コントローラ／プロセッサ１４４０および１４８０は、ＵＥ  １２０およびｅＮＢ  １１０の動作をそれぞれ管理することができる。プロセッサ１４２０、ならびに／またはＵＥ  １２０の他のプロセッサおよびモジュールは、図８のプロセス８００、図９のプロセス９００、および／または本明細書で説明された技法のための他のプロセスを実行または管理することができる。復調器１４５４、プロセッサ１４５８、ならびに／またはｅＮＢ  １１０の他のプロセッサおよびモジュールは、図１１のプロセス１１００、図１２のプロセス１２００、および／または本明細書で説明された技法のための他のプロセスを実行または管理することができる。メモリ１４４２および１４８２は、それぞれＵＥ  １２０およびｅＮＢ  １１０のためのデータおよびプログラムコードを保存することができる。スケジューラ１４８４は、ダウンリンクおよび／またはアップリンク伝送のためにＵＥをスケジュールすることができ、スケジュールされたＵＥにリソースの割り当て（例えば、副搬送波、循環シフトなど）を提供することができる。
【００８２】
情報および信号を様々な異なる技術および技法のいずれかを使用して表現できることが当業者には理解されよう。例えば、上述の説明の様々な箇所で言及された可能性のある、データ、命令、コマンド、情報、信号、ビット、記号、およびチップは、電圧、電流、電磁波、磁場もしくは磁気粒子、光場もしくは光粒子、またはそれらの任意の組み合わせによって表現することができる。
【００８３】
本明細書の開示に関連して説明された、様々な例示的な論理ブロック、モジュール、回路、およびアルゴリズムステップを、電子ハードウェア、コンピュータソフトウェア、または両方の組み合わせとして実施できることが当業者にはさらに理解されよう。ハードウェアとソフトウェアのこの互換性を明確に示すため、様々な例示的なコンポーネント、ブロック、モジュール、回路、およびステップは、上では概ねそれらの機能性によって説明された。そのような機能性がハードウェアとして実施されるか、それともソフトウェアとして実施されるかは、システム全体に課される特定のアプリケーション制約および設計制約に依存する。当業者は、特定のアプリケーション毎に様々な方法で、説明された機能性を実施することができるが、そのような実施の決定は、本開示の範囲からの逸脱を引き起こすと解釈されるべきではない。
【００８４】
本明細書の開示に関連して説明された、様々な例示的な論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラム可能な論理回路、個別的なゲートもしくはトランジスタ論理、個別的なハードウェアコンポーネント、または本明細書で説明された機能を実行するように設計されたそれらの任意の組み合わせを用いて実施または実行することができる。汎用プロセッサは、マイクロプロセッサとすることができるが、代替的に、プロセッサは、任意の従来型プロセッサ、コントローラ、マイクロコントローラ、またはステートマシンとすることができる。プロセッサは、例えば、ＤＳＰとマイクロプロセッサの組み合わせ、複数のマイクロプロセッサ、ＤＳＰコアと連携する１つもしくは複数のマイクロプロセッサ、または他の任意のそのような構成など、コンピューティングデバイスの組み合わせとして実施することもできる。
【００８５】
本明細書の開示に関連して説明された、方法またはアルゴリズムのステップは、ハードウェアで直接的に、プロセッサによって実行されるソフトウェアモジュールで、または２つの組み合わせで具現することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野で知られた他の任意の形態の記憶媒体内に存在することができる。例示的な記憶媒体は、プロセッサが記憶媒体から情報を読み取り、記憶媒体に情報を書き込むことができるように、プロセッサに結合される。代替的に、記憶媒体は、プロセッサに統合することができる。プロセッサおよび記憶媒体は、ＡＳＩＣ内に存在することができる。ＡＳＩＣは、ユーザ端末内に存在することができる。代替的に、プロセッサおよび記憶媒体は、ユーザ端末内に個別的なコンポーネントとして存在することができる。
【００８６】
１つまたは複数の例示的な設計では、説明される機能は、ハードウェア、ソフトウェア、ファームウェア、またはそれらの任意の組み合わせで実施することができる。ソフトウェアで実施される場合、機能は、コンピュータ可読媒体上に保存することができ、または１つもしくは複数の命令もしくはコードとして、コンピュータ可読媒体上で伝送することができる。コンピュータ可読媒体は、コンピュータ記憶媒体と、１つの場所から別の場所へのコンピュータプログラムの転送を容易にする任意の媒体を含む通信媒体とを共に含む。記憶媒体は、汎用または専用コンピュータによってアクセスできる任意の利用可能な媒体とすることができる。限定することなく、例を挙げると、そのようなコンピュータ可読媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、あるいは命令またはデータ構造の形式を取る所望のプログラムコード手段を伝送または記憶するために使用でき、汎用もしくは専用コンピュータまたは汎用もしくは専用プロセッサによってアクセスできる他の任意の媒体を備えることができる。また、妥当する場合は、任意の接続がコンピュータ可読媒体と呼ばれる。例えば、ソフトウェアが、ウェブサイト、サーバ、または他のリモートソースから、同軸ケーブル、光ファイバケーブル、ツイストペア、ディジタル加入者回線（ＤＳＬ）、または赤外線、無線、およびマイクロ波などの無線技術を使用して伝送される場合、同軸ケーブル、光ファイバケーブル、ツイストペア、ＤＳＬ、または赤外線、無線、およびマイクロ波などの無線技術は、媒体の定義に含まれる。本明細書で使用されるディスク（ｄｉｓｋおよびｄｉｓｃ）は、コンパクトディスク（ＣＤ）、レーザディスク、光ディスク、ディジタル多用途ディスク（ＤＶＤ）、フロッピディスク、ブルーレイディスクを含み、ｄｉｓｋは通常、磁気的にデータを再生し、ｄｉｓｃは、レーザを用いて光学的にデータを再生する。上記の組み合わせも、コンピュータ可読媒体の範囲内に含まれるべきである。
【００８７】
本開示のこれまでの説明は、当業者が開示されたものを作成または使用することを可能にするために提供されている。本開示に対する様々な変更が当業者には容易に明らかになり、本明細書で定義された一般的な原理は、本開示の主旨および範囲から逸脱することなく、他の変形にも適用することができる。したがって、本開示は、本明細書で説明された例および設計に限定することを意図しておらず、本明細書で開示された原理および新規な特徴と一致する最も広い範囲が与えられることを意図している。
【図１】
2014112867.tif 000007
【図２】
2014112867.tif 000008
【図３】
2014112867.tif 000009
【図４】
2014112867.tif 000010
【図５】
2014112867.tif 000011
【図６Ａ】
2014112867.tif 000012
【図６Ｂ】
2014112867.tif 000013
【図６Ｃ】
2014112867.tif 000014
【図７】
2014112867.tif 000015
【図８】
2014112867.tif 000016
【図９】
2014112867.tif 000017
【図１０】
2014112867.tif 000018
【図１１】
2014112867.tif 000019
【図１２】
2014112867.tif 000020
【図１３】
2014112867.tif 000021
【図１４】
2014112867.tif 000022
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
基本系列の少なくとも１つの循環シフトを使用して、割り当てられたリソース上で、少なくとも１つの参照信号を送信することと、
前記基本系列の少なくとも１つの他の循環シフトを使用して、前記割り当てられたリソース上で、データを送信することと
を備え、
前記少なくとも１つの参照信号を送信することは、前記基本系列の単一の循環シフトを使用して、単一の参照信号を送信することを備え、前記データを送信することは、前記基本系列の複数の循環シフトを使用して、複数のデータ変調記号を送信することを備える
無線通信のための方法。
【請求項２】
伝送のためにユーザ機器（ＵＥ）に割り当てられた副搬送波の組を決定することをさらに備え、前記割り当てられたリソースは、記号期間において前記副搬送波の組に対応する、請求項１に記載の方法。
【請求項３】
前記少なくとも１つの参照信号を送信すること、および前記データを送信することが、
周波数領域記号を獲得するために、前記少なくとも１つの参照信号および前記データのための変調記号を変換することと、
変調された記号を獲得するために、前記基本系列のための参照記号に前記周波数領域記号を乗算することと、
前記変調された記号を、伝送のために割り当てられた前記副搬送波の組にマッピングすることと、
前記記号期間中の伝送のための時間領域出力サンプルを獲得するために、前記マッピングされた記号を変換することと
を備える、請求項２に記載の方法。
【請求項４】
前記少なくとも１つの参照信号を送信することが、前記基本系列の少なくとも１つの循環シフトの各々を、参照信号のための既知の変調記号を用いて変調することを備え、前記データを送信することが、前記基本系列の少なくとも１つの他の循環シフトの各々を、データ変調記号を用いて変調することを備える、請求項１に記載の方法。
【請求項５】
前記少なくとも１つの参照信号を送信することが、前記基本系列の複数の循環シフトを使用して、伝送アンテナ毎に１つの参照信号となる、複数の参照信号を送信することを備え、各参照信号は、前記基本系列の異なる循環シフトを使用して送信される、請求項１に記載の方法。
【請求項６】
前記ＵＥに割り当てられた循環シフトの組を決定することと、前記循環シフトの組が、伝送のために割り当てられた前記副搬送波の組で利用可能な、すべての循環シフトのサブセットを含み、残りの利用可能な循環シフトの少なくともサブセットが、少なくとも１つの他のＵＥに割り当てられ、
前記ＵＥに割り当てられた前記循環シフトの組から、前記少なくとも１つの参照信号のための前記少なくとも１つの循環シフトおよび前記データのための前記少なくとも１つの他の循環シフトを決定することと
をさらに備える、請求項２に記載の方法。
【請求項７】
前記少なくとも１つの参照信号のための前記少なくとも１つの循環シフトが、少なくとも１つのガード領域によって、前記データのための前記少なくとも１つの他の循環シフトから分離され、各ガード領域が、１つまたは複数の循環シフトを含む、請求項１に記載の方法。
【請求項８】
前記複数の参照信号のための前記複数の循環シフトが、１つまたは複数の循環シフトによって、互いに分離される、請求項５に記載の方法。
【請求項９】
参照信号のために使用される各循環シフトがデータのために使用される各循環シフトよりも高い送信電力を獲得するように、前記少なくとも１つの参照信号のために使用される前記少なくとも１つの循環シフトにより高い利得を適用すること
をさらに備える、請求項１に記載の方法。
【請求項１０】
前記少なくとも１つの参照信号のために使用する前記少なくとも１つの循環シフト、もしくは前記データのために使用する前記少なくとも１つの他の循環シフト、または両方を示すシグナリングを受信すること
をさらに備える、請求項１に記載の方法。
【請求項１１】
前記基本系列が、ＣＡＺＡＣ（一定振幅ゼロ自己相関）系列を備える、請求項１に記載の方法。
【請求項１２】
前記基本系列が、ザドフ−チュー系列を備える、請求項１に記載の方法。
【請求項１３】
基本系列の少なくとも１つの循環シフトを使用して、割り当てられたリソース上で、少なくとも１つの参照信号を送信するための手段と、
前記基本系列の少なくとも１つの他の循環シフトを使用して、前記割り当てられたリソース上で、データを送信するための手段とを備え、
前記少なくとも１つの参照信号を送信するための前記手段は、前記基本系列の単一の循環シフトを使用して、単一の参照信号を送信するための手段を備え、前記データを送信するための前記手段は、前記基本系列の複数の循環シフトを使用して、複数のデータ変調記号を送信するための手段を備える
無線通信のための装置。
【請求項１４】
前記少なくとも１つの参照信号を送信するための前記手段、および前記データを送信するための前記手段が、
周波数領域記号を獲得するために、前記少なくとも１つの参照信号および前記データのための変調記号を変換するための手段と、
変調された記号を獲得するために、前記基本系列のための参照記号に前記周波数領域記号を乗算するための手段と、
前記変調された記号を、伝送のために割り当てられた副搬送波の組にマッピングするための手段と、前記割り当てられたリソースは、記号期間において前記副搬送波の組に対応し、
前記記号期間中の伝送のための時間領域出力サンプルを獲得するために、前記マッピングされた記号を変換するための手段と
を備える、請求項１３に記載の装置。
【請求項１５】
前記少なくとも１つの参照信号を送信するための前記手段が、前記基本系列の少なくとも１つの循環シフトの各々を、参照信号のための既知の変調記号を用いて変調するための手段を備え、前記データを送信するための前記手段が、前記基本系列の少なくとも１つの他の循環シフトの各々を、データ変調記号を用いて変調するための手段を備える、請求項１３に記載の装置。
【請求項１６】
前記少なくとも１つの参照信号を送信するための前記手段が、前記基本系列の複数の循環シフトを使用して、伝送アンテナ毎に１つの参照信号となる、複数の参照信号を送信するための手段を備え、各参照信号は、前記基本系列の異なる循環シフトを使用して送信される、請求項１３に記載の装置。
【請求項１７】
伝送のためのユーザ機器（ＵＥ）に割り当てられた副搬送波の組を決定するための手段と、前記割り当てられたリソースは、記号期間において前記副搬送波の組に対応し、
前記ＵＥに割り当てられた循環シフトの組を決定するための手段と、前記循環シフトの組が、前記副搬送波の組で利用可能な、すべての循環シフトのサブセットを含み、残りの利用可能な循環シフトの少なくともサブセットが、少なくとも１つの他のＵＥに割り当てられ、
前記ＵＥに割り当てられた前記循環シフトの組から、前記少なくとも１つの参照信号のための前記少なくとも１つの循環シフトおよび前記データのための前記少なくとも１つの他の循環シフトを決定するための手段と
をさらに備える、請求項１３に記載の装置。
【請求項１８】
基本系列の少なくとも１つの循環シフトを使用して、割り当てられたリソース上で、少なくとも１つの参照信号を送信し、前記基本系列の少なくとも１つの他の循環シフトを使用して、前記割り当てられたリソース上で、データを送信するように構成された、少なくとも１つのプロセッサを備え、
前記少なくとも１つのプロセッサは、前記基本系列の単一の循環シフトを使用して、単一の参照信号を送信し、前記基本系列の複数の循環シフトを使用して、複数のデータ変調記号を送信するようにさらに構成された
無線通信のための装置。
【請求項１９】
前記少なくとも１つのプロセッサが、
周波数領域記号を獲得するために、前記少なくとも１つの参照信号および前記データのための変調記号を変換することと、
変調された記号を獲得するために、前記基本系列のための参照記号に前記周波数領域記号を乗算することと、
前記変調された記号を、伝送のために割り当てられた副搬送波の組にマッピングすることと、前記割り当てられたリソースは、記号期間において前記副搬送波の組に対応し、
前記記号期間中の伝送のための時間領域出力サンプルを獲得するために、前記マッピングされた記号を変換することと
を行うように構成される、請求項１８に記載の装置。
【請求項２０】
前記少なくとも１つのプロセッサが、前記基本系列の少なくとも１つの循環シフトの各々を、参照信号のための既知の変調記号を用いて変調し、前記基本系列の少なくとも１つの他の循環シフトの各々を、データ変調記号を用いて変調するように構成される、請求項１８に記載の装置。
【請求項２１】
前記少なくとも１つのプロセッサが、前記基本系列の複数の循環シフトを使用して、伝送アンテナ毎に１つの参照信号となる、複数の参照信号を送信するように構成され、各参照信号は、前記基本系列の異なる循環シフトを使用して送信される、請求項１８に記載の装置。
【請求項２２】
前記少なくとも１つのプロセッサが、
伝送のためにユーザ機器（ＵＥ）に割り当てられた副搬送波の組を決定することと、前記割り当てられたリソースは、記号期間において前記副搬送波の組に対応し、前記ＵＥに割り当てられた循環シフトの組を決定することと、前記循環シフトの組が、前記副搬送波の組で利用可能な、すべての循環シフトのサブセットを含み、残りの利用可能な循環シフトの少なくともサブセットが、少なくとも１つの他のＵＥに割り当てられ、前記ＵＥに割り当てられた前記循環シフトの組から、前記少なくとも１つの参照信号のための前記少なくとも１つの循環シフトおよび前記データのための前記少なくとも１つの他の循環シフトを決定することとを行うように構成される、請求項１８に記載の装置。
【請求項２３】
少なくとも１つのコンピュータに、基本系列の少なくとも１つの循環シフトを使用して、割り当てられたリソース上で、少なくとも１つの参照信号を送信させるためのコードと、
前記少なくとも１つのコンピュータに、前記基本系列の少なくとも１つの他の循環シフトを使用して、前記割り当てられたリソース上で、データを送信させるためのコードと
を備え、
前記少なくとも１つのコンピュータに少なくとも１つの参照信号を送信させるための前記コードは、前記少なくとも１つのコンピュータに前記基本系列の単一の循環シフトを使用して、単一の参照信号を送信させるためのコードを備え、前記少なくとも１つのコンピュータにデータを送信させるための前記コードは、前記少なくとも１つのコンピュータに前記基本系列の複数の循環シフトを使用して、複数のデータ変調記号を送信させるためのコードを備える
コンピュータ可読媒体。
【請求項２４】
基本系列の少なくとも１つの循環シフトを使用して、割り当てられたリソース上で、ユーザ機器（ＵＥ）によって送信された少なくとも１つの参照信号を受信することと、
前記基本系列の少なくとも１つの他の循環シフトを使用して、前記割り当てられたリソース上で、前記ＵＥによって送信されたデータを受信することと
を備え、
前記少なくとも１つの参照信号を受信することは、前記基本系列の単一の循環シフトを使用して、前記ＵＥによって送信された単一の参照信号を受信することを備え、前記データを受信することは、前記基本系列の複数の循環シフトを使用して、前記ＵＥによって送信された複数のデータ変調記号を受信することを備える
無線通信のための方法。
【請求項２５】
伝送のために前記ＵＥに割り当てられた副搬送波の組を決定することをさらに備え、前記割り当てられたリソースは、記号期間において前記副搬送波の組に対応する、請求項２４に記載の方法。
【請求項２６】
前記少なくとも１つの参照信号を受信すること、および前記データを受信することは、
受信記号を獲得するために、前記記号期間中の受信サンプルを周波数領域に変換することと、
伝送のために割り当てられた前記副搬送波の組のための受信記号を抽出することと、
入力記号を獲得するために、前記抽出された記号に前記基本系列から導出された記号を乗算することと、
入力サンプルを獲得するために、前記入力記号を時間領域に変換することと、
前記入力サンプルの第１のサブセットに基づいて、チャネル推定値を導出することと、
前記ＵＥによって送信された前記データのための検出された記号を獲得するために、前記チャネル推定値を用いて、前記入力サンプルの第２のサブセットに対してデータ復調を実行することと
を備える、請求項２５に記載の方法。
【請求項２７】
前記少なくとも１つの参照信号を受信することが、前記基本系列の複数の循環シフトを使用して、前記ＵＥの伝送アンテナ毎に１つの参照信号となる、前記ＵＥによって送信された複数の参照信号を受信することを備え、各参照信号は、前記基本系列の異なる循環シフトを使用して送信され、
前記伝送アンテナから送信された前記参照信号に基づいて、前記ＵＥの伝送アンテナ毎にチャネル推定値を導出することをさらに備える、
請求項２４に記載の方法。
【請求項２８】
前記ＵＥに割り当てられた循環シフトの第１の組を決定することと、
第２のＵＥに割り当てられた循環シフトの第２の組を決定することと、前記ＵＥおよび前記第２のＵＥには共に、前記副搬送波の組が割り当てられ、前記第１および第２の組が、前記割り当てられた副搬送波の組で利用可能な、すべての循環シフトの異なるサブセットを備え、
循環シフトの前記第１の組を使用して、前記ＵＥによって送信された前記少なくとも１つの参照信号および前記データを受信することと、
循環シフトの前記第２の組を使用して、前記第２のＵＥによって送信された少なくとも１つの参照信号のみを、または少なくとも１つの参照信号およびデータの両方を受信することと
をさらに備える、請求項２５に記載の方法。
【請求項２９】
前記少なくとも１つの参照信号のために使用する前記少なくとも１つの循環シフト、もしくは前記データのために使用する前記少なくとも１つの他の循環シフト、または両方を示すシグナリングをＵＥに送信すること
をさらに備える、請求項２４に記載の方法。
【請求項３０】
基本系列の少なくとも１つの循環シフトを使用して、割り当てられたリソース上で、ユーザ機器（ＵＥ）によって送信された少なくとも１つの参照信号を受信するための手段と、
前記基本系列の少なくとも１つの他の循環シフトを使用して、前記割り当てられたリソース上で、前記ＵＥによって送信されたデータを受信するための手段と
を備え、
前記少なくとも１つの参照信号を受信するための前記手段は、前記基本系列の単一の循環シフトを使用して、前記ＵＥによって送信された単一の参照信号を受信するための手段を備え、前記データを受信するための前記手段が、前記基本系列の複数の循環シフトを使用して、前記ＵＥによって送信された複数のデータ変調記号を受信するための手段を備える
無線通信のための装置。
【請求項３１】
前記少なくとも１つの参照信号を受信するための前記手段、および前記データを受信するための前記手段が、
受信記号を獲得するために、記号期間中の受信サンプルを周波数領域に変換するための手段と、
伝送のために前記ＵＥに割り当てられた副搬送波の組のための受信記号を抽出するための手段と、前記割り当てられたリソースは、前記記号期間において前記副搬送波の組に対応し、
入力記号を獲得するために、前記抽出された記号に前記基本系列から導出された記号を乗算するための手段と、
入力サンプルを獲得するために、前記入力記号を時間領域に変換するための手段と、
前記入力サンプルの第１のサブセットに基づいて、チャネル推定値を導出するための手段と、
前記ＵＥによって送信された前記データのための検出された記号を獲得するために、前記チャネル推定値を用いて、前記入力サンプルの第２のサブセットに対してデータ復調を実行するための手段と
を備える、請求項３０に記載の装置。
【請求項３２】
前記少なくとも１つの参照信号を受信するための前記手段が、前記基本系列の複数の循環シフトを使用して、前記ＵＥの伝送アンテナ毎に１つの参照信号となる、前記ＵＥによって送信された複数の参照信号を受信するための手段を備え、各参照信号は、前記基本系列の異なる循環シフトを使用して送信され、
前記伝送アンテナから送信された前記参照信号に基づいて、前記ＵＥの伝送アンテナ毎にチャネル推定値を導出するための手段をさらに備える、
請求項３０に記載の装置。
【請求項３３】
伝送のために前記ＵＥに割り当てられた副搬送波の組を決定するための手段と、前記割り当てられたリソースは、記号期間において前記副搬送波の組に対応し、
前記ＵＥに割り当てられた循環シフトの第１の組を決定するための手段と、
第２のＵＥに割り当てられた循環シフトの第２の組を決定するための手段と、前記ＵＥおよび前記第２のＵＥには共に、前記副搬送波の組が割り当てられ、前記第１および第２の組が、前記割り当てられた副搬送波の組で利用可能な、すべての循環シフトの異なるサブセットを備え、
循環シフトの前記第１の組を使用して、前記ＵＥによって送信された前記少なくとも１つの参照信号および前記データを受信するための手段と、
循環シフトの前記第２の組を使用して、前記第２のＵＥによって送信された少なくとも１つの参照信号のみを、または少なくとも１つの参照信号およびデータを受信するための手段と
をさらに備える、請求項３０に記載の装置。
【手続補正２】
【補正対象書類名】明細書
【補正対象項目名】００８７
【補正方法】変更
【補正の内容】
【００８７】
本開示のこれまでの説明は、当業者が開示されたものを作成または使用することを可能にするために提供されている。本開示に対する様々な変更が当業者には容易に明らかになり、本明細書で定義された一般的な原理は、本開示の主旨および範囲から逸脱することなく、他の変形にも適用することができる。したがって、本開示は、本明細書で説明された例および設計に限定することを意図しておらず、本明細書で開示された原理および新規な特徴と一致する最も広い範囲が与えられることを意図している。
以下の記載は、出願当初の特許請求の範囲の記載に一致するものである。
［１］
基本系列の少なくとも１つの循環シフトを使用して、割り当てられたリソース上で、少なくとも１つの参照信号を送信することと、
前記基本系列の少なくとも１つの他の循環シフトを使用して、前記割り当てられたリソース上で、データを送信することと
を備える無線通信のための方法。
［２］
伝送のためにユーザ機器（ＵＥ）に割り当てられた１組の副搬送波を決定することであって、前記割り当てられたリソースが、記号期間において前記１組の副搬送波に対応する、決定すること
をさらに備える、［１］に記載の方法。
［３］
前記少なくとも１つの参照信号を送信すること、および前記データを送信することが、
周波数領域記号を獲得するために、前記少なくとも１つの参照信号および前記データのための変調記号を変換することと、
変調された記号を獲得するために、前記基本系列のための参照記号に前記周波数領域記号を乗算することと、
前記変調された記号を、伝送のために割り当てられた前記１組の副搬送波にマッピングすることと、
前記記号期間中の伝送のための時間領域出力サンプルを獲得するために、前記マッピングされた記号を変換することと
を備える、［２］に記載の方法。
［４］
前記少なくとも１つの参照信号を送信することが、前記基本系列の少なくとも１つの循環シフトの各々を、参照信号のための既知の変調記号を用いて変調することを備え、前記データ送信することが、前記基本系列の少なくとも１つの他の循環シフトの各々を、データ変調記号を用いて変調することを備える、［１］に記載の方法。
［５］
前記少なくとも１つの参照信号を送信することが、前記基本系列の単一の循環シフトを使用して、単一の参照信号を送信することを備え、前記データ送信することが、前記基本系列の複数の循環シフトを使用して、複数のデータ変調記号を送信することを備える、［１］に記載の方法。
［６］
前記少なくとも１つの参照信号を送信することが、前記基本系列の複数の循環シフトを使用して、伝送アンテナ毎に１つの参照信号となる、複数の参照信号を送信することであって、各参照信号が、前記基本系列の異なる循環シフトを使用して送信される、送信することを備える、［１］に記載の方法。
［７］
前記ＵＥに割り当てられた１組の循環シフトを決定することであって、前記１組の循環シフトが、伝送のために割り当てられた前記１組の副搬送波で利用可能な、すべての循環シフトのサブセットを含み、残りの利用可能な循環シフトの少なくともサブセットが、少なくとも１つの他のＵＥに割り当てられる、決定することと、
前記ＵＥに割り当てられた前記１組の循環シフトから、前記少なくとも１つの参照信号のための前記少なくとも１つの循環シフトおよび前記データのための前記少なくとも１つの他の循環シフトを決定することと
をさらに備える、［２］に記載の方法。
［８］
前記少なくとも１つの参照信号のための前記少なくとも１つの循環シフトが、少なくとも１つのガード領域によって、前記データのための前記少なくとも１つの他の循環シフトから分離され、各ガード領域が、１つまたは複数の循環シフトを含む、［１］に記載の方法。
［９］
前記複数の参照信号のための前記複数の循環シフトが、１つまたは複数の循環シフトによって、互いに分離される、［６］に記載の方法。
［１０］
参照信号のために使用される各循環シフトがデータのために使用される各循環シフトよりも高い送信電力を獲得するように、前記少なくとも１つの参照信号のために使用される前記少なくとも１つの循環シフトにより高い利得を適用すること
をさらに備える、［１］に記載の方法。
［１１］
前記少なくとも１つの参照信号のために使用する前記少なくとも１つの循環シフト、もしくは前記データのために使用する前記少なくとも１つの他の循環シフト、または両方を示すシグナリングを受信すること
をさらに備える、［１］に記載の方法。
［１２］
前記基本系列が、ＣＡＺＡＣ（一定振幅ゼロ自己相関）系列を備える、［１］に記載の方法。
［１３］
前記基本系列が、ザドフ−チュー系列を備える、［１］に記載の方法。
［１４］
基本系列の少なくとも１つの循環シフトを使用して、割り当てられたリソース上で、少なくとも１つの参照信号を送信するための手段と、
前記基本系列の少なくとも１つの他の循環シフトを使用して、前記割り当てられたリソース上で、データを送信するための手段と
を備える無線通信のための装置。
［１５］
前記少なくとも１つの参照信号を送信するための前記手段、および前記データを送信するための前記手段が、
周波数領域記号を獲得するために、前記少なくとも１つの参照信号および前記データのための変調記号を変換するための手段と、
変調された記号を獲得するために、前記基本系列のための参照記号に前記周波数領域記号を乗算するための手段と、
前記変調された記号を、伝送のために割り当てられた前記１組の副搬送波にマッピングするための手段であって、前記割り当てられたリソースが、記号期間において前記１組の副搬送波に対応する、マッピングするための手段と、
前記記号期間中の伝送のための時間領域出力サンプルを獲得するために、前記マッピングされた記号を変換するための手段と
を備える、［１４］に記載の装置。
［１６］
前記少なくとも１つの参照信号を送信するための前記手段が、前記基本系列の少なくとも１つの循環シフトの各々を、参照信号のための既知の変調記号を用いて変調するための手段を備え、前記データ送信するための前記手段が、前記基本系列の少なくとも１つの他の循環シフトの各々を、データ変調記号を用いて変調するための手段を備える、［１４］に記載の装置。
［１７］
前記少なくとも１つの参照信号を送信するための前記手段が、前記基本系列の単一の循環シフトを使用して、単一の参照信号を送信するための手段を備え、前記データ送信するための前記手段が、前記基本系列の複数の循環シフトを使用して、複数のデータ変調記号を送信するための手段を備える、［１４］に記載の装置。
［１８］
前記少なくとも１つの参照信号を送信するための前記手段が、前記基本系列の複数の循環シフトを使用して、伝送アンテナ毎に１つの参照信号となる、複数の参照信号を送信するための手段であって、各参照信号が、前記基本系列の異なる循環シフトを使用して送信される、送信するための手段を備える、［１４］に記載の装置。
［１９］
伝送のためにユーザ機器（ＵＥ）に割り当てられた１組の副搬送波を決定するための手段であって、前記割り当てられたリソースが、記号期間において前記１組の副搬送波に対応する、決定するための手段と、
前記ＵＥに割り当てられた１組の循環シフトを決定するための手段であって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定するための手段と、
前記ＵＥに割り当てられた前記１組の循環シフトから、前記少なくとも１つの参照信号のための前記少なくとも１つの循環シフトおよび前記データのための前記少なくとも１つの他の循環シフトを決定するための手段と
をさらに備える、［１４］に記載の装置。
［２０］
基本系列の少なくとも１つの循環シフトを使用して、割り当てられたリソース上で、少なくとも１つの参照信号を送信し、前記基本系列の少なくとも１つの他の循環シフトを使用して、前記割り当てられたリソース上で、データを送信するように構成された、少なくとも１つのプロセッサ
を備える無線通信のための装置。
［２１］
前記少なくとも１つのプロセッサが、
周波数領域記号を獲得するために、前記少なくとも１つの参照信号および前記データのための変調記号を変換することと、
変調された記号を獲得するために、前記基本系列のための参照記号に前記周波数領域記号を乗算することと、
前記変調された記号を、伝送のために割り当てられた前記１組の副搬送波にマッピングすることであって、前記割り当てられたリソースが、記号期間において前記１組の副搬送波に対応する、マッピングすることと、
前記記号期間中の伝送のための時間領域出力サンプルを獲得するために、前記マッピングされた記号を変換することと
を行うように構成される、［２０］に記載の装置。
［２２］
前記少なくとも１つのプロセッサが、前記基本系列の少なくとも１つの循環シフトの各々を、参照信号のための既知の変調記号を用いて変調し、前記基本系列の少なくとも１つの他の循環シフトの各々を、データ変調記号を用いて変調するように構成される、［２０］に記載の装置。
［２３］
前記少なくとも１つのプロセッサが、前記基本系列の単一の循環シフトを使用して、単一の参照信号を送信し、前記基本系列の複数の循環シフトを使用して、複数のデータ変調記号を送信するように構成される、［２０］に記載の装置。
［２４］
前記少なくとも１つのプロセッサが、前記基本系列の複数の循環シフトを使用して、伝送アンテナ毎に１つの参照信号となる、複数の参照信号を送信することであって、各参照信号が、前記基本系列の異なる循環シフトを使用して送信される、送信することを行うように構成される、［２０］に記載の装置。
［２５］
前記少なくとも１つのプロセッサが、伝送のためにユーザ機器（ＵＥ）に割り当てられた１組の副搬送波を決定することあって、前記割り当てられたリソースが、記号期間において前記１組の副搬送波に対応する、決定することと、前記ＵＥに割り当てられた１組の循環シフトを決定することであって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定することと、前記ＵＥに割り当てられた前記１組の循環シフトから、前記少なくとも１つの参照信号のための前記少なくとも１つの循環シフトおよび前記データのための前記少なくとも１つの他の循環シフトを決定することとを行うように構成される、［２０］に記載の装置。
［２６］
コンピュータ可読媒体であって、
少なくとも１つのコンピュータに、基本系列の少なくとも１つの循環シフトを使用して、割り当てられたリソース上で、少なくとも１つの参照信号を送信させるためのコードと、
前記少なくとも１つのコンピュータに、前記基本系列の少なくとも１つの他の循環シフトを使用して、前記割り当てられたリソース上で、データを送信させるためのコードと
を備えるコンピュータ可読媒体
を備えるコンピュータプログラム製品。
［２７］
基本系列の少なくとも１つの循環シフトを使用して、割り当てられたリソース上で、ユーザ機器（ＵＥ）によって送信された少なくとも１つの参照信号を受信することと、
前記基本系列の少なくとも１つの他の循環シフトを使用して、前記割り当てられたリソース上で、前記ＵＥによって送信されたデータを受信することと
を備える無線通信のための方法。
［２８］
伝送のために前記ＵＥに割り当てられた１組の副搬送波を決定することであって、前記割り当てられたリソースが、記号期間において前記１組の副搬送波に対応する、決定すること
をさらに備える、［２７］に記載の装置。
［２９］
前記少なくとも１つの参照信号を受信すること、および前記データを受信することが、
受信記号を獲得するために、前記記号期間中の受信サンプルを周波数領域に変換することと、
伝送のために割り当てられた前記１組の副搬送波のための受信記号を抽出することと、
入力記号を獲得するために、前記抽出された記号に前記基本系列から導出された記号を乗算することと、
入力サンプルを獲得するために、前記入力記号を時間領域に変換することと、
前記入力サンプルの第１のサブセットに基づいて、チャネル推定値を導出することと、
前記ＵＥによって送信された前記データのための検出された記号を獲得するために、前記チャネル推定値を用いて、前記入力サンプルの第２のサブセットに対してデータ復調を実行することと
を備える、［２８］に記載の装置。
［３０］
前記少なくとも１つの参照信号を受信することが、前記基本系列の単一の循環シフトを使用して、前記ＵＥによって送信された単一の参照信号を受信することを備え、前記データを受信することが、前記基本系列の複数の循環シフトを使用して、前記ＵＥによって送信された複数のデータ変調記号を受信することを備える、［２７］に記載の方法。
［３１］
前記少なくとも１つの参照信号を受信することが、前記基本系列の複数の循環シフトを使用して、前記ＵＥの伝送アンテナ毎に１つの参照信号となる、前記ＵＥによって送信された複数の参照信号を受信することであって、各参照信号が、前記基本系列の異なる循環シフトを使用して送信される、受信することを備え、
前記伝送アンテナから送信された前記参照信号に基づいて、前記ＵＥの伝送アンテナ毎にチャネル推定値を導出すること
をさらに備える、［２７］に記載の方法。
［３２］
前記ＵＥに割り当てられた循環シフトの第１の組を決定することと、
第２のＵＥに割り当てられた循環シフトの第２の組を決定することであって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを備える、決定することと、
循環シフトの前記第１の組を使用して、前記ＵＥによって送信された前記少なくとも１つの参照信号および前記データを受信することと、
循環シフトの前記第２の組を使用して、前記第２のＵＥによって送信された少なくとも１つの参照信号のみを、または少なくとも１つの参照信号およびデータの両方を受信することと
をさらに備える、［２８］に記載の方法。
［３３］
前記少なくとも１つの参照信号のために使用する前記少なくとも１つの循環シフト、もしくは前記データのために使用する前記少なくとも１つの他の循環シフト、または両方を示すシグナリングをＵＥに送信すること
をさらに備える、［２７］に記載の方法。
［３４］
基本系列の少なくとも１つの循環シフトを使用して、割り当てられたリソース上で、ユーザ機器（ＵＥ）によって送信された少なくとも１つの参照信号を受信するための手段と、
前記基本系列の少なくとも１つの他の循環シフトを使用して、前記割り当てられたリソース上で、前記ＵＥによって送信されたデータを受信するための手段と
を備える無線通信のための装置。
［３５］
前記少なくとも１つの参照信号を受信するための前記手段、および前記データを受信するための前記手段が、
受信記号を獲得するために、記号期間中の受信サンプルを周波数領域に変換するための手段と、
伝送のために前記ＵＥに割り当てられた１組の副搬送波のための受信記号を抽出するための手段であって、前記割り当てられたリソースが、前記記号期間において前記１組の副搬送波に対応する、抽出するための手段と、
入力記号を獲得するために、前記抽出された記号に前記基本系列から導出された記号を乗算するための手段と、
入力サンプルを獲得するために、前記入力記号を時間領域に変換するための手段と、
前記入力サンプルの第１のサブセットに基づいて、チャネル推定値を導出するための手段と、
前記ＵＥによって送信された前記データのための検出された記号を獲得するために、前記チャネル推定値を用いて、前記入力サンプルの第２のサブセットに対してデータ復調を実行するための手段と
を備える、［３４］に記載の装置。
［３６］
前記少なくとも１つの参照信号を受信するための前記手段が、前記基本系列の単一の循環シフトを使用して、前記ＵＥによって送信された単一の参照信号を受信するための手段を備え、前記データを受信するための前記手段が、前記基本系列の複数の循環シフトを使用して、前記ＵＥによって送信された複数のデータ変調記号を受信するための手段を備える、［３４］に記載の装置。
［３７］
前記少なくとも１つの参照信号を受信するための前記手段が、前記基本系列の複数の循環シフトを使用して、前記ＵＥの伝送アンテナ毎に１つの参照信号となる、前記ＵＥによって送信された複数の参照信号を受信するための手段であって、各参照信号が、前記基本系列の異なる循環シフトを使用して送信される、受信するための手段を備え、
前記伝送アンテナから送信された前記参照信号に基づいて、前記ＵＥの伝送アンテナ毎にチャネル推定値を導出するための手段
をさらに備える、［３４］に記載の装置。
［３８］
伝送のために前記ＵＥに割り当てられた１組の副搬送波を決定するための手段であって、前記割り当てられたリソースが、記号期間において前記１組の副搬送波に対応する、決定するための手段と、
前記ＵＥに割り当てられた循環シフトの第１の組を決定するための手段と、
第２のＵＥに割り当てられた循環シフトの第２の組を決定するための手段であって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを備える、決定するための手段と、
循環シフトの前記第１の組を使用して、前記ＵＥによって送信された前記少なくとも１つの参照信号および前記データを受信するための手段と、
循環シフトの前記第２の組を使用して、前記第２のＵＥによって送信された少なくとも１つの参照信号のみを、または少なくとも１つの参照信号およびデータを受信するための手段と
をさらに備える、［３４］に記載の装置。
【外国語明細書】
2014112867000001.pdf